(57)【要約】【課題】テーピングおよび表面実装の安定性の向上、クリーン化対応がなされた電子部品収納用キャリアテープを製造することができる電子部品収納用キャリアテープの製造方法およびキャリアテープ作製用シートの製造方法を提供すること。【解決手段】本発明の電子部品収納用キャリアテープの製造方法は、帯状のシート１５１の長手方向に沿って配置された複数の第１凹部１２をその第１面１５に有し、この第１面１５の反対側の第２面１３がほぼ平坦である樹脂製の電子部品収納用キャリアテープ１を製造する製造方法であり、帯状のシート１５１を加熱してシート１５１の少なくとも第１面１５側を溶融または軟化させる加熱工程と、シート１５１の第１面１５に第１凹部１２を成形する成形工程とを有する。【選択図】図７
2014061944.tif 000002
【特許請求の範囲】
【請求項１】
帯状のシートの長手方向に沿って配置された複数の第１凹部をその第１面に有し、該第１面の反対側の第２面がほぼ平坦である樹脂製の電子部品収納用キャリアテープの製造方法であって、
前記帯状のシートを加熱して前記シートの少なくとも前記第１面側を溶融または軟化させる加熱工程と、
前記シートの前記第１面に前記第１凹部を成形する成形工程とを有することを特徴とする電子部品収納用キャリアテープの製造方法。
【請求項２】
前記成形工程において、前記第１凹部を成形するための突起物を有する成形金型を用いる請求項１に記載の電子部品収納用キャリアテープの製造方法。
【請求項３】
前記成形工程において、前記突起物を１つ以上外周に有するロール状の成形金型を用いる請求項２に記載の電子部品収納用キャリアテープの製造方法。
【請求項４】
前記成形工程において、前記シートの第２面を平坦化させる請求項１ないし３のいずれか１項に記載の電子部品収納用キャリアテープの製造方法。
【請求項５】
前記成形工程において、前記シートの前記第２面を平坦化させるタッチロールを用いる請求項４に記載の電子部品収納用キャリアテープの製造方法。
【請求項６】
前記成形工程において、前記第１面に、前記第１凹部に平行に配置された複数の第２凹部を成形する請求項１ないし５のいずれか１項に記載の電子部品収納用キャリアテープの製造方法。
【請求項７】
前記成形工程の後に、さらに前記シートを冷却する冷却工程を有する請求項６に記載の電子部品収納用キャリアテープの製造方法。
【請求項８】
前記冷却工程において、冷却ロールを用いる請求項７に記載の電子部品収納用キャリアテープの製造方法。
【請求項９】
前記冷却工程の後に、さらに前記シートに前記第１凹部に平行に配置された複数の送り穴を加工する打抜工程を有する請求項７または８に記載の電子部品収納用キャリアテープの製造方法。
【請求項１０】
前記打抜工程において、前記送り穴を加工するための打抜工具を備える打抜金型を用いる請求項９に記載の電子部品収納用キャリアテープの製造方法。
【請求項１１】
前記打抜金型は、前記第１凹部と前記送り穴の位置精度を保つための位置補正機構を有する請求項１０に記載の電子部品収納用キャリアテープの製造方法。
【請求項１２】
前記位置補正機構は、前記第１凹部と平行に配置される前記第２凹部の位置を規制するための位置補正用パイロットおよび位置出し用パイロットと、
前記送り穴の位置を規制するためのパイロットピンとを有する請求項１１に記載の電子部品収納用キャリアテープの製造方法。
【請求項１３】
前記打抜金型は、前記位置補正用パイロットを、前記送り穴を打ち抜く前記打抜工具の前記シートの進行方向入口側と出口側のそれぞれ外側に有する請求項１２に記載の電子部品収納用キャリアテープの製造方法。
【請求項１４】
前記打抜金型は、前記位置出し用パイロットを、前記送り穴を打ち抜く前記打抜工具の前記シートの進行方向入口側と出口側のそれぞれ外側に有する請求項１２または１３に記載の電子部品収納用キャリアテープの製造方法。
【請求項１５】
前記打抜金型は、前記パイロットピンを、前記送り穴を打ち抜く前記打抜工具の前記シートの進行方向出口側に有する請求項１２ないし１４のいずれか１項に記載の電子部品収納用キャリアテープの製造方法。
【請求項１６】
前記打抜工程において、前記シートの前記第１面をストリッパで押えるのに先立って、前記第２凹部を前記位置補正用パイロットで位置規制させる請求項１２ないし１５のいずれか１項に記載の電子部品収納用キャリアテープの製造方法。
【請求項１７】
前記打抜工程の前記打抜工具を用いて前記シートをプレスする最初の１ショット目において、前記第２凹部を前記位置補正用パイロットで位置規制させるのに先立って、前記第２凹部を位置出し用パイロットで位置規制させる請求項１６に記載の電子部品収納用キャリアテープの製造方法。
【請求項１８】
前記第２凹部を前記位置補正用パイロットで位置規制させる最大量をＵ（ｍｍ）とし、前記第２凹部の中心軸と前記位置出し用パイロットの中心軸との位置ズレの最大量をＶ（ｍｍ）としたとき、
Ｖ≦Ｕを満たす請求項１７に記載の電子部品収納用キャリアテープの製造方法。
【請求項１９】
前記打抜工程の前記打抜工具を用いて前記シートをプレスする２ショット目以降において、前記第２凹部を前記位置補正用パイロットで位置規制させるのに先立って、前記送り穴を前記パイロットピンで位置規制させる請求項１７または１８に記載の電子部品収納用キャリアテープの製造方法。
【請求項２０】
前記第２凹部を前記位置補正用パイロットで位置規制させる最大量をＵ（ｍｍ）とし、前記送り穴の中心軸と前記パイロットピンの中心軸との位置ズレの最大量をＷ（ｍｍ）としたとき、
Ｗ＜Ｕを満たす請求項１９に記載の電子部品収納用キャリアテープの製造方法。
【請求項２１】
前記第２凹部の深さをＪ（ｍｍ）とし、前記第２凹部の底部の厚さをＫ（ｍｍ）とし、前記第１凹部および前記第２凹部以外の部分の厚みをＣ（ｍｍ）としたとき、
Ｊ＋Ｋ＝Ｃをほぼ満たすよう製造される請求項９ないし２０のいずれか１項に記載の電子部品収納用キャリアテープの製造方法。
【請求項２２】
前記第２凹部の深さをＪ（ｍｍ）とし、前記第２凹部の底部の厚さをＫ（ｍｍ）とし、前記第１凹部および前記第２凹部以外の部分の厚みをＣ（ｍｍ）としたとき、
−０．１＜Ｃ−（Ｊ＋Ｋ）＜０．１を満たすよう製造される請求項９ないし２１のいずれか１項に記載の電子部品収納用キャリアテープの製造方法。
【請求項２３】
前記第２凹部の深さをＪ（ｍｍ）とし、前記第１凹部および前記第２凹部以外の部分の厚みをＣ（ｍｍ）としたとき、
Ｃ−０．１５≦Ｊ≦Ｃ−０．０５を満たすよう製造される請求項９ないし２２のいずれか１項に記載の電子部品収納用キャリアテープの製造方法。
【請求項２４】
前記第２凹部の内側の縁部は、曲率半径が０．２ｍｍ以下で湾曲するよう製造される請求項９ないし２３のいずれか１項に記載の電子部品収納用キャリアテープの製造方法。
【請求項２５】
前記打抜工程の後に、さらに前記シートを、前記長手方向に沿ってそれぞれ配置された複数の前記第１凹部および複数の前記送り穴が含まれるように所定の幅で切断することにより電子部品収納用キャリアテープを得る切断工程を有する請求項９ないし２４のいずれか１項に記載の電子部品収納用キャリアテープの製造方法。
【請求項２６】
前記切断工程の後に、さらに当該電子部品収納用キャリアテープを、前記第１面または前記第２面を芯材側にして巻回する巻回工程を有し、
前記芯材の直径は、５〜３００ｍｍである請求項２５に記載の電子部品収納用キャリアテープの製造方法。
【請求項２７】
前記第１凹部の深さをＡ（ｍｍ）とし、当該電子部品収納用キャリアテープにおける前記第１凹部の底部の厚さをＢ（ｍｍ）とし、当該電子部品収納用キャリアテープにおける前記第１凹部以外の部分の厚みをＣ（ｍｍ）としたとき、
Ａ＋Ｂ＝Ｃをほぼ満たすよう製造される請求項１ないし２６のいずれか１項に記載の電子部品収納用キャリアテープの製造方法。
【請求項２８】
前記第１凹部の深さをＡ（ｍｍ）とし、当該電子部品収納用キャリアテープにおける前記第１凹部の底部の厚さをＢ（ｍｍ）とし、当該電子部品収納用キャリアテープにおける前記第１凹部以外の部分の厚みをＣ（ｍｍ）としたとき、
−０．１＜Ｃ−（Ａ＋Ｂ）＜０．１を満たすよう製造される請求項１ないし２７のいずれか１項に記載の電子部品収納用キャリアテープの製造方法。
【請求項２９】
前記第１凹部の内側の縁部は、曲率半径が０．２ｍｍ以下で湾曲するよう製造される請求項１ないし２８のいずれか１項に記載の電子部品収納用キャリアテープの製造方法。
【請求項３０】
帯状のシートの長手方向に沿って配置された複数の第１凹部をその第１面に有し、該第１面の反対側の第２面がほぼ平坦である樹脂製のキャリアテープ作製用シートの製造方法であって、
前記帯状のシートを加熱して前記シートの少なくとも前記第１面側を溶融または軟化させる加熱工程と、
前記シートの前記第１面に前記第１凹部を成形する成形工程とを有することを特徴とするキャリアテープ作製用シートの製造方法。
【発明の詳細な説明】
【技術分野】
【０００１】
本発明は、電子部品収納用キャリアテープの製造方法およびキャリアテープ作製用シートの製造方法に関するものである。
【背景技術】
【０００２】
一般に、電子部品（特にチップ抵抗、チップＬＥＤ、チップコンデンサなどの非常に小さいチップ部品）などを収納する包装体としては、電子部品収納用キャリアテープ（以下、単に「キャリアテープ」とも言う。）をトップカバーテープ（以下、単に「カバーテープ」とも言う。）で封止した包装体が用いられている。
【０００３】
キャリアテープとしては、帯状のシートの一部を打抜き加工により貫通させた後にシートの下面にボトムテープを貼着して凹形の部品収納部（ポケット）を形成したパンチキャリアテープ（例えば、特許文献１参照）、帯状のシートの一部を圧縮加工によりポケットを形成したプレスキャリアテープ（例えば、特許文献２参照）、帯状のシートの一部を成形加工（圧空成形、真空ドラム成形、プレス成形など）によりポケットを形成したエンボスキャリアテープ（例えば、特許文献３参照）等が用いられている。
【先行技術文献】
【特許文献】
【０００４】
【特許文献１】特開平１０−２１８２８１号公報
【特許文献２】特許第３７５１４１４号公報
【特許文献３】特開２０１１−２２５２５７号公報
【発明の概要】
【発明が解決しようとする課題】
【０００５】
図９、図１０、図１１に示すような前記パンチキャリアテープおよび前記プレスキャリアテープは、シート基材として紙製のものが主流である。これらの紙製キャリアテープは、電子部品を表面実装機へフィードする際、シート自体から発生する紙粉が電子部品のはんだ接合不良や電子部品吸着ノズルの詰まりを発生させるという問題があった。また、ポケット内のケバ立ち、吸湿によるポケットの寸法変化、実装時にカバーテープを剥離する際に発生する静電気の帯電等により、電子部品吸着ノズルのピックアップミスが生じやすいという問題があった。
【０００６】
また、前記パンチキャリアテープは、シートの厚さ（ポケットの深さと同じ）を収納する電子部品の高さによって変更しているのが一般である。このため、高さの小さい電子部品を収納する場合のパンチキャリアテープは、シートの厚さを小さくする必要がある。このとき、シートの強度不足により、電子部品を収納し、カバーテープを封止するテーピング（以下、単に「テーピング」とも言う。）時や実装時にパンチキャリアテープをスプロケットで送る際、パンチキャリアテープの送り穴が変形し、それによって、送り不良が生じてしまい、テーピング時の収納安定性の低下や実装時のピックアップミスを引き起こすという問題があった。さらに、シートの下面にボトムテープを貼着する必要があるため、資材購入費や加工費などが増加し、高コストにつながるという問題があった。
【０００７】
一方、図１２、図１３、図１４に示すような前記エンボスキャリアテープは、シートのポケットの裏側が突起状になるため、前記パンチキャリアテープや前記プレスキャリアテープと併用する場合に、テーピング機および表面実装機の装置改造や部品交換が必要となり、多大のコストを要する。また、前記エンボスキャリアテープをリールに巻いて輸送する際、シートの裏側の突起に荷重がかかるため、部品収納部の変形や巻き崩れ、巻き緩みが発生するという問題があった。さらに、テーピング後にエンボスキャリアテープをリールに巻いた時、外側層に巻かれたシートの裏側の突起が、内側層に巻かれたポケット部分のカバーテープを押さえ、その結果、カバーテープにキズが付くことや、電子部品が破損するという問題があった。
【０００８】
本発明は、従来のこのような問題点を解決するためになされたもので、その目的とするところは、テーピングおよび表面実装の安定性の向上、クリーン化対応がなされた電子部品収納用キャリアテープを製造することができる電子部品収納用キャリアテープの製造方法およびかかる電子部品収納用キャリアテープを作製することができるキャリアテープ作製用シートの製造方法を提供することにある。
【課題を解決するための手段】
【０００９】
このような目的は、下記（１）〜（３０）の本発明により達成される。
（１）  帯状のシートの長手方向に沿って配置された複数の第１凹部をその第１面に有し、該第１面の反対側の第２面がほぼ平坦である樹脂製の電子部品収納用キャリアテープの製造方法であって、
前記帯状のシートを加熱して前記シートの少なくとも前記第１面側を溶融または軟化させる加熱工程と、
前記シートの前記第１面に前記第１凹部を成形する成形工程とを有することを特徴とする電子部品収納用キャリアテープの製造方法。
【００１０】
（２）  前記成形工程において、前記第１凹部を成形するための突起物を有する成形金型を用いる上記（１）に記載の電子部品収納用キャリアテープの製造方法。
【００１１】
（３）  前記成形工程において、前記突起物を１つ以上外周に有するロール状の成形金型を用いる上記（２）に記載の電子部品収納用キャリアテープの製造方法。
【００１２】
（４）  前記成形工程において、前記シートの第２面を平坦化させる上記（１）ないし（３）のいずれか１項に記載の電子部品収納用キャリアテープの製造方法。
【００１３】
（５）  前記成形工程において、前記シートの前記第２面を平坦化させるタッチロールを用いる上記（４）に記載の電子部品収納用キャリアテープの製造方法。
【００１４】
（６）  前記成形工程において、前記第１面に、前記第１凹部に平行に配置された複数の第２凹部を成形する上記（１）ないし（５）のいずれか１項に記載の電子部品収納用キャリアテープの製造方法。
【００１５】
（７）  前記成形工程の後に、さらに前記シートを冷却する冷却工程を有する上記（６）に記載の電子部品収納用キャリアテープの製造方法。
【００１６】
（８）  前記冷却工程において、冷却ロールを用いる上記（７）に記載の電子部品収納用キャリアテープの製造方法。
【００１７】
（９）  前記冷却工程の後に、さらに前記シートに前記第１凹部に平行に配置された複数の送り穴を加工する打抜工程を有する上記（７）または（８）に記載の電子部品収納用キャリアテープの製造方法。
【００１８】
（１０）  前記打抜工程において、前記送り穴を加工するための打抜工具を備える打抜金型を用いる上記（９）に記載の電子部品収納用キャリアテープの製造方法。
【００１９】
（１１）  前記打抜金型は、前記第１凹部と前記送り穴の位置精度を保つための位置補正機構を有する上記（１０）に記載の電子部品収納用キャリアテープの製造方法。
【００２０】
（１２）  前記位置補正機構は、前記第１凹部と平行に配置される前記第２凹部の位置を規制するための位置補正用パイロットおよび位置出し用パイロットと、
前記送り穴の位置を規制するためのパイロットピンとを有する上記（１１）に記載の電子部品収納用キャリアテープの製造方法。
【００２１】
（１３）  前記打抜金型は、前記位置補正用パイロットを、前記送り穴を打ち抜く前記打抜工具の前記シートの進行方向入口側と出口側のそれぞれ外側に有する上記（１２）に記載の電子部品収納用キャリアテープの製造方法。
【００２２】
（１４）  前記打抜金型は、前記位置出し用パイロットを、前記送り穴を打ち抜く前記打抜工具の前記シートの進行方向入口側と出口側のそれぞれ外側に有する上記（１２）または（１３）に記載の電子部品収納用キャリアテープの製造方法。
【００２３】
（１５）  前記打抜金型は、前記パイロットピンを、前記送り穴を打ち抜く前記打抜工具の前記シートの進行方向出口側に有する上記（１２）ないし（１４）のいずれか１項に記載の電子部品収納用キャリアテープの製造方法。
【００２４】
（１６）  前記打抜工程において、前記シートの前記第１面をストリッパで押えるのに先立って、前記第２凹部を前記位置補正用パイロットで位置規制させる上記（１２）ないし（１５）のいずれか１項に記載の電子部品収納用キャリアテープの製造方法。
【００２５】
（１７）  前記打抜工程の前記打抜工具を用いて前記シートをプレスする最初の１ショット目において、前記第２凹部を前記位置補正用パイロットで位置規制させるのに先立って、前記第２凹部を位置出し用パイロットで位置規制させる上記（１６）に記載の電子部品収納用キャリアテープの製造方法。
【００２６】
（１８）  前記第２凹部を前記位置補正用パイロットで位置規制させる最大量をＵ（ｍｍ）とし、前記第２凹部の中心軸と前記位置出し用パイロットの中心軸との位置ズレの最大量をＶ（ｍｍ）としたとき、
Ｖ≦Ｕを満たす上記（１７）に記載の電子部品収納用キャリアテープの製造方法。
【００２７】
（１９）  前記打抜工程の前記打抜工具を用いて前記シートをプレスする２ショット目以降において、前記第２凹部を前記位置補正用パイロットで位置規制させるのに先立って、前記送り穴を前記パイロットピンで位置規制させる上記（１７）または（１８）に記載の電子部品収納用キャリアテープの製造方法。
【００２８】
（２０）  前記第２凹部を前記位置補正用パイロットで位置規制させる最大量をＵ（ｍｍ）とし、前記送り穴の中心軸と前記パイロットピンの中心軸との位置ズレの最大量をＷ（ｍｍ）としたとき、
Ｗ＜Ｕを満たす上記（１９）に記載の電子部品収納用キャリアテープの製造方法。
【００２９】
（２１）  前記第２凹部の深さをＪ（ｍｍ）とし、前記第２凹部の底部の厚さをＫ（ｍｍ）とし、前記第１凹部および前記第２凹部以外の部分の厚みをＣ（ｍｍ）としたとき、
Ｊ＋Ｋ＝Ｃをほぼ満たすよう製造される上記（９）ないし（２０）のいずれか１項に記載の電子部品収納用キャリアテープの製造方法。
【００３０】
（２２）  前記第２凹部の深さをＪ（ｍｍ）とし、前記第２凹部の底部の厚さをＫ（ｍｍ）とし、前記第１凹部および前記第２凹部以外の部分の厚みをＣ（ｍｍ）としたとき、
−０．１＜Ｃ−（Ｊ＋Ｋ）＜０．１を満たすよう製造される上記（９）ないし（２１）のいずれか１項に記載の電子部品収納用キャリアテープの製造方法。
【００３１】
（２３）  前記第２凹部の深さをＪ（ｍｍ）とし、前記第１凹部および前記第２凹部以外の部分の厚みをＣ（ｍｍ）としたとき、
Ｃ−０．１５≦Ｊ≦Ｃ−０．０５を満たすよう製造される上記（９）ないし（２２）のいずれか１項に記載の電子部品収納用キャリアテープの製造方法。
【００３２】
（２４）  前記第２凹部の内側の縁部は、曲率半径が０．２ｍｍ以下で湾曲するよう製造される上記（９）ないし（２３）のいずれか１項に記載の電子部品収納用キャリアテープの製造方法。
【００３３】
（２５）  前記打抜工程の後に、さらに前記シートを、前記長手方向に沿ってそれぞれ配置された複数の前記第１凹部および複数の前記送り穴が含まれるように所定の幅で切断することにより電子部品収納用キャリアテープを得る切断工程を有する上記（９）ないし（２４）のいずれか１項に記載の電子部品収納用キャリアテープの製造方法。
【００３４】
（２６）  前記切断工程の後に、さらに当該電子部品収納用キャリアテープを、前記第１面または前記第２面を芯材側にして巻回する巻回工程を有し、
前記芯材の直径は、５〜３００ｍｍである上記（２５）に記載の電子部品収納用キャリアテープの製造方法。
【００３５】
（２７）  前記第１凹部の深さをＡ（ｍｍ）とし、当該電子部品収納用キャリアテープにおける前記第１凹部の底部の厚さをＢ（ｍｍ）とし、当該電子部品収納用キャリアテープにおける前記第１凹部以外の部分の厚みをＣ（ｍｍ）としたとき、
Ａ＋Ｂ＝Ｃをほぼ満たすよう製造される上記（１）ないし（２６）のいずれか１項に記載の電子部品収納用キャリアテープの製造方法。
【００３６】
（２８）  前記第１凹部の深さをＡ（ｍｍ）とし、当該電子部品収納用キャリアテープにおける前記第１凹部の底部の厚さをＢ（ｍｍ）とし、当該電子部品収納用キャリアテープにおける前記第１凹部以外の部分の厚みをＣ（ｍｍ）としたとき、
−０．１＜Ｃ−（Ａ＋Ｂ）＜０．１を満たすよう製造される上記（１）ないし（２７）のいずれか１項に記載の電子部品収納用キャリアテープの製造方法。
【００３７】
（２９）  前記第１凹部の内側の縁部は、曲率半径が０．２ｍｍ以下で湾曲するよう製造される上記（１）ないし（２８）のいずれか１項に記載の電子部品収納用キャリアテープの製造方法。
【００３８】
（３０）  帯状のシートの長手方向に沿って配置された複数の第１凹部をその第１面に有し、該第１面の反対側の第２面がほぼ平坦である樹脂製のキャリアテープ作製用シートの製造方法であって、
前記帯状のシートを加熱して前記シートの少なくとも前記第１面側を溶融または軟化させる加熱工程と、
前記シートの前記第１面に前記第１凹部を成形する成形工程とを有することを特徴とするキャリアテープ作製用シートの製造方法。
【発明の効果】
【００３９】
本発明によれば、テーピングおよび表面実装の安定性の向上、クリーン化対応がなされた電子部品収納用キャリアテープを製造することができる電子部品収納用キャリアテープの製造方法およびかかる電子部品収納用キャリアテープを作製することができるキャリアテープ作製用シートの製造方法を提供することができる。
【図面の簡単な説明】
【００４０】
【図１】本発明の電子部品収納用キャリアテープの製造方法により製造された包装体の第１構成例を示す部分斜視図である。
【図２】図１の線Ａ−Ａに沿った断面図である。
【図３】図１の線Ｂ−Ｂに沿った断面図である。
【図４】図１の包装体が備える電子部品収納用キャリアテープを示す平面図である。
【図５】キャリアテープ作製用シートの第１形態例を示す部分斜視図である。
【図６】図５の線Ａ−Ａに沿った断面図である。
【図７】本発明のキャリアテープ作製用シートの製造方法が適用されたキャリアテープ作製用シート製造装置の第１実施形態を示す斜視図である。
【図８】図７のＣ矢視図である。
【図９】従来のパンチキャリアテープの一実施形態の部分斜視図である。
【図１０】図９の線Ｄ−Ｄに沿った断面図である。
【図１１】図９の線Ｅ−Ｅに沿った断面図である。
【図１２】従来のエンボスキャリアテープの一実施形態の部分斜視図である。
【図１３】図１２の線Ｆ−Ｆに沿った断面図である。
【図１４】図１２の線Ｇ−Ｇに沿った断面図である。
【図１５】本発明の電子部品収納用キャリアテープの製造方法により製造された包装体の第２構成例を示す部分斜視図である。
【図１６】図１５の線Ｈ−Ｈに沿った断面図である。
【図１７】図１５の線Ｊ−Ｊに沿った断面図である。
【図１８】本発明の電子部品収納用キャリアテープの製造方法により製造された包装体の第３構成例を示す部分斜視図である。
【図１９】図１８の線Ｋ−Ｋに沿った断面図である。
【図２０】図１８の線Ｌ−Ｌに沿った断面図である。
【図２１】本発明のキャリアテープ作製用シートの製造方法が適用されたキャリアテープ作製用シート製造装置の第２実施形態を示す縦断面図である。
【図２２】本発明のキャリアテープ作製用シートの製造方法が適用されたキャリアテープ作製用シート製造装置の第３実施形態を示す縦断面図である。
【図２３】本発明のキャリアテープ作製用シートの製造方法が適用されたキャリアテープ作製用シート製造装置の第４実施形態を示す縦断面図である。
【図２４】本発明のキャリアテープ作製用シートの製造方法が適用されたキャリアテープ作製用シート製造装置の第５実施形態を示す縦断面図である。
【図２５】本発明のキャリアテープ作製用シートの製造方法が適用されたキャリアテープ作製用シート製造装置の第６実施形態を示す縦断面図である。
【図２６】本発明のキャリアテープ作製用シートの製造方法が適用されたキャリアテープ作製用シート製造装置の第７実施形態を示す縦断面図である。
【図２７】本発明のキャリアテープ作製用シートの製造方法が適用されたキャリアテープ作製用シート製造装置の第８実施形態を示す縦断面図である。
【図２８】本発明のキャリアテープ作製用シートの製造方法が適用されたキャリアテープ作製用シート製造装置の第９実施形態を示す縦断面図である。
【図２９】本発明のキャリアテープ作製用シートの製造方法が適用されたキャリアテープ作製用シート製造装置の第１０実施形態を示す縦断面図である。
【図３０】本発明のキャリアテープ作製用シートの製造方法が適用されたキャリアテープ作製用シート製造装置の第１１実施形態を示す縦断面図である。
【図３１】本発明のキャリアテープ作製用シートの製造方法が適用されたキャリアテープ作製用シート製造装置の第１２実施形態を示す縦断面図である。
【図３２】本発明のキャリアテープ作製用シートの製造方法が適用されたキャリアテープ作製用シート製造装置の第１３実施形態を示す縦断面図である。
【図３３】キャリアテープ作製用シートの第２形態例を示す部分斜視図である。
【図３４】図３３の線Ａ−Ａに沿った断面図である。
【図３５】図３３の線Ｂ−Ｂに沿った断面図である。
【図３６】本発明のキャリアテープ作製用シートの製造方法が適用されたキャリアテープ作製用シート製造装置の第１４実施形態を示す斜視図である。
【図３７】図３６のＣ矢視図である。
【図３８】図３６に示すキャリアテープ作製用シート製造装置が備える各部材とシートとの位置関係を示す平面図である。
【図３９】図３６に示すキャリアテープ作製用シート製造装置を用いてキャリアテープ作製用シートの製造方法を説明するための平面図である。
【図４０】図３６に示すキャリアテープ作製用シート製造装置を用いたキャリアテープ作製用シートの製造方法を説明するための断面図である。
【図４１】図３６に示すキャリアテープ作製用シート製造装置を用いたキャリアテープ作製用シートの製造方法を説明するための断面図である。
【図４２】図３６に示すキャリアテープ作製用シート製造装置を用いたキャリアテープ作製用シートの製造方法を説明するための断面図である。
【図４３】図３６に示すキャリアテープ作製用シート製造装置を用いたキャリアテープ作製用シートの製造方法を説明するための断面図である。
【図４４】位置出し用パイロットと第２凹部との位置関係を示す断面図である。
【図４５】位置補正用パイロットと第２凹部との位置関係を示す断面図である。
【図４６】パイロットピンと送り穴との位置関係を示す断面図である。
【図４７】図３６に示すキャリアテープ作製用シート製造装置が備える各部材とシートとの位置関係を示す平面図である。
【図４８】パイロットピンと送り穴との位置関係を示す平面図である。
【図４９】送り穴と第１凹部との位置関係を示す平面図である。
【図５０】位置補正用パイロットと第２凹部との位置関係を示す平面図である。
【発明を実施するための形態】
【００４１】
以下、本発明の電子部品収納用キャリアテープの製造方法およびキャリアテープ作製用シートの製造方法を添付図面に示す好適実施形態に基づいて詳細に説明する。
【００４２】
まず、本発明の電子部品収納用キャリアテープの製造方法およびキャリアテープ作製用シートの製造方法を説明するのに先立って、本発明の電子部品収納用キャリアテープの製造方法およびキャリアテープ作製用シートの製造方法を適用して製造された包装体について説明する。
【００４３】
＜包装体＞
＜＜第１構成例＞＞
図１は、本発明の電子部品収納用キャリアテープの製造方法により製造された包装体の第１構成例を示す部分斜視図、図２は、図１の線Ａ−Ａに沿った断面図、図３は、図１の線Ｂ−Ｂに沿った断面図、図４は、図１の包装体が備える電子部品収納用キャリアテープを示す平面図である。なお、以下の説明では、図１〜３中の上側を「上」、下側を「下」と言う。また、図１では、包装体が備えるキャリアテープの第１凹部内に収納された電子部品を示すために、包装体が備える任意のカバーテープが部分的に取り外されている。第１凹部の内部をよりはっきり示すために、電子部品は先頭のポケットから省かれている。
包装体１００は、電子部品４０を収納する第１凹部（電子部品収納用凹部；ポケット）１２を備える電子部品収納用キャリアテープ（以下、単に「キャリアテープ」とも言う。）１と、キャリアテープ１の第１凹部１２の開口を封止するトップカバーテープ（以下、単に「カバーテープ」とも言う。）２０とを有している。
【００４４】
図１〜３に示すキャリアテープ１は、帯状のシート１０からなる樹脂製のものであり、このキャリアテープ１の上側の第１面１５に、その長手方向に沿って１列に配置された複数の第１凹部１２と、複数の第１凹部１２に平行となるように１列に配置された複数の送り穴１１とを有している。
【００４５】
また、本実施形態では、キャリアテープ１における第１面１５の反対側（下側）の第２面１３は、ほぼ平坦となっている。
【００４６】
換言すれば、本実施形態では、キャリアテープ１は、第１面１５に開放する有底の第１凹部１２と、第１面１５および第２面１３に貫通する送り穴１１とを有し、第２面１３は、第１凹部１２の底部およびその外周部付近に実質的に段差がない面で構成されている。
【００４７】
複数の第１凹部１２は、図１に示すように、帯状のシート１０の長手方向に沿って、第１面１５に１列に並ぶように等間隔で設けられている。これらの第１凹部１２には、それぞれ電子部品４０を収納可能になっている。
【００４８】
また、複数の送り穴１１は、図１に示すように、シート１０の長手方向に沿って、第１面１５に１列に並ぶように等間隔で設けられている。ただし、電子部品の表面実装機へのフィードを、送り穴を用いることなく実施する場合には、この送り穴１１の形成を省略するようにしてもよい。
【００４９】
なお、本実施形態では、電子部品４０は、図１、２に示すように、その全体形状が直方体状をなしており、電子部品４０を収納する第１凹部１２の形状も、これに対応するように直方体状をなしている。したがって、第１凹部１２の平面視形状は、長方形状をなしているが、収納すべき電子部品４０の形状に対応して、三角形、五角形、六角形のような多角形状や、円形状等をなしていても良い。
【００５０】
また、第１凹部１２の内周面には、電子部品吸着ノズルのピックアップ性等を考慮して、キャリアテープ１の厚さ方向に沿って、凸条または凹条が形成されていても良い。
【００５１】
さらに、第１凹部１２の底面には、段差が設けられていても良い。これにより、例えば、電子部品４０の底面に端子等が形成されている場合には、この端子が第１凹部１２の底面に接触するのを防止することができるようになるため、キャリアテープ１の輸送時等に、端子等が破損してしまうのを的確に防止することができる。
【００５２】
複数の送り穴１１は、図１、２に示すように、複数の第１凹部１２に平行となるように、１列に並んで等間隔に設けられている。これら送り穴１１は、第１凹部１２に収納された電子部品４０を、表面実装機にフィードする際に用いられる。
【００５３】
また、送り穴１１のサイズは、キャリアテープ１の短手方向の幅が８ｍｍの場合、その平均内径が、好ましくはΦ１．５〜１．６ｍｍ程度に設定され、より好ましくはΦ１．５〜１．５５ｍｍ程度に設定され、キャリアテープ１の短手方向の幅が４ｍｍの場合、その平均内径が、好ましくはΦ０．７６〜０．８４ｍｍ程度に設定され、より好ましくはΦ０．７８〜０．８２ｍｍ程度に設定される。これにより、表面実装機による送り穴１１を用いた包装体１００のフィードを確実に実施することができる。
【００５４】
なお、複数の第１凹部１２と、複数の送り穴１１は、ともに、シート１０の長手方向に沿って、１列に並ぶように設けられているが、それぞれが配置される間隔は、特に限定されず、例えば、図４（ａ）、（ｂ）に示すように、前記長手方向において、２つの送り穴１１の間に２つ以上の第１凹部１２が配置されているものであってもよいし、図４（ｃ）に示すように、２つの送り穴１１の間に１つの第１凹部１２が配置されているものであってもよい。
【００５５】
なお、図４（ａ）の構成とする場合、キャリアテープ１の短手方向の幅を８ｍｍ、各送り穴１１の長手方向の間隔を４ｍｍ、第１凹部１２の間隔を２ｍｍとする構成（ａ１）と、キャリアテープ１の短手方向の幅を８ｍｍ、各送り穴１１の長手方向の間隔を２ｍｍ、第１凹部１２の間隔を１ｍｍとする構成（ａ２）と、キャリアテープ１の短手方向の幅を４ｍｍ、各送り穴１１の長手方向の間隔を２ｍｍ、第１凹部１２の間隔を１ｍｍとする構成（ａ３）とが挙げられ、各構成（ａ１）、（ａ２）および（ａ３）におけるＦ１は、好ましくは０±０．０５ｍｍ、より好ましくは０±０．０３ｍｍに設定され、各構成（ａ１）、（ａ２）および（ａ３）におけるＦ２は、それぞれ、好ましくは２±０．０５ｍｍ、１±０．０５ｍｍおよび１±０．０５ｍｍ、より好ましくは２±０．０３ｍｍ、１±０．０３ｍｍおよび１±０．０３ｍｍに設定され、各構成（ａ１）、（ａ２）および（ａ３）におけるＧは、それぞれ、好ましくは３．５±０．０５ｍｍ、３．５±０．０５ｍｍおよび１．８±０．０５ｍｍ、より好ましくは３．５±０．０３ｍｍ、３．５±０．０３ｍｍおよび１．８±０．０３ｍｍに設定される。
【００５６】
また、図４（ｂ）の構成とする場合、キャリアテープ１の短手方向の幅を８ｍｍ、各送り穴１１の長手方向の間隔を４ｍｍ、第１凹部１２の間隔を１ｍｍとする構成（ｂ）が挙げられ、かかる構成（ｂ）において、Ｆ１は、好ましくは０±０．０５ｍｍ、より好ましくは０±０．０３ｍｍに設定され、Ｆ２は、好ましくは１±０．０５ｍｍ、より好ましくは１±０．０３ｍｍに設定され、Ｆ３は、好ましくは２±０．０５ｍｍ、より好ましくは２±０．０３ｍｍに設定され、Ｆ４は、好ましくは３±０．０５ｍｍ、より好ましくは３±０．０３ｍｍに設定され、Ｇは、好ましくは３．５±０．０５ｍｍ、より好ましくは３．５±０．０３ｍｍに設定される。
【００５７】
さらに、図４（ｃ）の構成とする場合、キャリアテープ１の短手方向の幅を８ｍｍ、各送り穴１１の長手方向の間隔を４ｍｍ、第１凹部１２の間隔を４ｍｍとする構成（ｃ）が挙げられ、かかる構成（ｃ）において、Ｆ２は、好ましくは２±０．０５ｍｍ、より好ましくは２±０．０３ｍｍに設定され、Ｇは、好ましくは３．５±０．０５ｍｍ、より好ましくは３．５±０．０３ｍｍに設定される。
【００５８】
なお、これらの中でも、構成（ａ１）または構成（ａ３）とするのが好ましい。これにより、表面実装機による送り穴１１を用いた包装体１００のフィードをより確実に実施することができる。
【００５９】
また、本発明の電子部品収納用キャリアテープの製造方法で製造されるキャリアテープ１は、樹脂製である。樹脂製であることにより、電子部品を表面実装機へフィードする際、紙粉のような微粉がキャリアテープ１自体から発生することがなく、電子部品のはんだ接合不良や電子部品吸着ノズルの詰まりの発生を防止することができる。また、第１凹部１２内のケバ立ちや、吸湿による第１凹部１２の寸法変化を防止することができる。さらに、実装時にカバーテープ２０を剥離する際に発生する静電気の帯電を防止することで、電子部品吸着ノズルのピックアップ性を向上させることができる。これにより、クリーン化に十分に対応し、テーピングおよび表面実装の安定性の向上、生産性の向上を図ることができる。
【００６０】
また、樹脂製であることにより、シート１０の強度が上昇する。これにより、高さの小さい電子部品４０を収納するために、シート１０の厚さを小さくする場合であっても、テーピング時や実装時にキャリアテープ１を送る際、キャリアテープ１の送り穴１１が変形することや、キャリアテープ１の破断等を防ぐことができる。これにより、送り不良を十分に抑制し、テーピング時の収納安定性や実装時のピックアップ性を向上させることができ、テーピングおよび表面実装の安定性の向上、生産性の向上を図ることができる。
【００６１】
また、キャリアテープ１を構成する樹脂としては、特に限定されないが、例えば、ポリスチレン、ポリエチレン、ポリプロピレン、ポリエステル（ポリエチレンテレフタレート等）、ポリカーボネート、ポリ塩化ビニル、ポリアミド、ポリアセタールのような各種樹脂（各種熱可塑性樹脂）が挙げられ、これらのうちの１種または２種以上を組み合せて用いることができる。また、必要に応じて、これらの樹脂に、カーボンブラック、グラファイト、カーボン繊維等の導電性フィラーが混合される。これにより、キャリアテープ１に導電性を付与し、帯電が防止されるため、静電気による電子部品４０の破壊をより防ぐことができる。また、必要に応じて、発泡剤や滑剤等の各種添加剤を添加してもよい。さらに、キャリアテープ１の表面には、シリコーン系樹脂、フッ素系樹脂等からなる剥離剤や、導電性を有する被膜等が成膜されていてもよい。また、キャリアテープ１のシート１０の層構成は、これらの要件を満たした単層あるいは多層にしてもよい。
【００６２】
また、本実施形態では、第１凹部１２がキャリアテープ１の第１面１５に形成され、キャリアテープ１における第１面１５の反対側の第２面１３は、ほぼ平坦である。すなわち、第２面１３は、第１凹部１２の底部およびその外周部付近には実質的に段差がない面で構成されている。このため、キャリアテープ１は、パンチキャリアテープやプレスキャリアテープ用のテーピング機および実装機を用いて、パンチキャリアテープやプレスキャリアテープと同様に使用することができる。これにより、新たな設備投資等が不要となり、価格競争力を向上させることができる。また、前記キャリアテープ１をリールに巻いて輸送する際、第２面１３がほぼ平坦であることにより、巻き崩れや巻き緩みを防止することができる。これにより第１凹部１２の変形や、カバーテープ２０のキズを防ぐことができる。
【００６３】
また、このような構造により、より薄型化された電子部品に対応したキャリアテープを提供することができる。つまり、こういうことである。第１凹部１２の深さは、包装する電子部品４０の大きさにより適切な深さが決められることがある。つまり、電子部品４０は、キャリアテープ１とカバーテープ２０との間に形成された内部空間中に収納されるところ、保管時や輸送時の衝撃、汚染等から電子部品４０を保護するには、電子部品４０の高さにわずかなクリアランス（例えば、０〜０．３ｍｍ）を設けて第１凹部１２を設計することが好ましい。このため、昨今の電子部品の薄型化により、パンチキャリアテープの場合は、シート自体も薄型化させる必要があり、それにより強度が不十分となり、破断等のおそれがあった。しかし、キャリアテープ１は、包装する電子部品４０に合わせて第１凹部１２の深さを浅くしても、シート１０自体の厚みは薄型化する必要がないため、充分な強度を有したまま、薄型化された電子部品に対応することができる。
【００６４】
また、第１凹部１２は、その深さをＡ（ｍｍ）とし、キャリアテープ１における第１凹部１２の底部の厚さをＢ（ｍｍ）として、キャリアテープ１における前記凹部以外の部分の厚みをＣ（ｍｍ）としたとき、Ａ＋Ｂ＝Ｃをほぼ満たすことが好ましい。Ａ＋Ｂ＝Ｃをほぼ満たすとは、例えば、−０．１＜Ｃ−（Ａ＋Ｂ）＜０．１を満たすことが好ましく、−０．０５＜Ｃ−（Ａ＋Ｂ）＜０．０５を満たすことがより好ましい。前記式を満たすことで、第２面１３がより平坦となり、キャリアテープ１をリールに巻いて保管する時や輸送する際の巻き崩れや巻き緩みを防止することができる。
【００６５】
また、第１凹部１２の深さＡは、包装する電子部品４０の高さにより決められるが、電子部品４０の高さをＺ（ｍｍ）としたとき、０≦Ａ−Ｚ≦０．３を満たすことが好ましく、０．０５≦Ａ−Ｚ≦０．１５がより好ましい。前記好ましい範囲にあることにより、テーピング時の収納安定性や実装時のピックアップ性を向上させることができ、キャリアテープ１の保管時や輸送時の衝撃、汚染等から電子部品４０の破損を防止することができる。また、キャリアテープ１における前記凹部以外の部分の厚みＣは、キャリアテープ１のシート１０の厚みとほぼ変わらない。ここで、Ｃの厚みは、０．１ｍｍ以上１．０ｍｍ以下が好ましく、０．２ｍｍ以上０．５ｍｍ以下がより好ましい。前記好ましい範囲にあることにより、キャリアテープ１の生産性が向上し、また、キャリアテープ１の送り穴１１が変形することや、キャリアテープ１の破断等を防止することができる。
【００６６】
また、第１凹部１２のサイズは、包装する電子部品４０のサイズにより決められるが、第１凹部１２のサイズをＤ（ｍｍ）、Ｅ（ｍｍ）、Ｄ≦Ｅとし、電子部品４０のサイズをＸ（ｍｍ）、Ｙ（ｍｍ）、Ｘ≦Ｙとしたとき、０＜Ｄ−Ｘ≦０．３、０＜Ｅ−Ｙ≦０．３を満たすことが好ましく、０．０５≦Ｄ−Ｘ≦０．１５、０．０５≦Ｅ−Ｙ≦０．１５がより好ましい。前記好ましい範囲にあることにより、テーピング時の収納安定性や実装時のピックアップ性を向上させることができ、キャリアテープ１の保管時や輸送時の衝撃、汚染等から電子部品４０の破損を防止することができる。
【００６７】
また、キャリアテープ１は、第２面１３をリール（芯材）側にして、巻回した状態で保管・輸送されることがあるが、この際に用いられるリールは、その直径が５〜３００ｍｍ程度であるのが好ましく、３０〜２５０ｍｍ程度であるのがより好ましい。
【００６８】
ここで、第１凹部１２に収納する電子部品４０を、図２に示すように長方形状のものとしたとき、電子部品４０の平面視におけるサイズは、前述したＹ（ｍｍ）×Ｘ（ｍｍ）で記載すると、通常、０．６ｍｍ×０．５ｍｍ、０．６ｍｍ×０．３ｍｍ、０．４ｍｍ×０．２ｍｍのものが知られ、さらに、将来的には０．３ｍｍ×０．１５ｍｍ、０．２ｍｍ×０．１ｍｍのものが用いられるようになると言われている。したがって、Ｙ（ｍｍ）が０．２〜０．６ｍｍ程度、Ｘ（ｍｍ）が０．１〜０．５ｍｍ程度の電子部品４０が第１凹部１２に収納される。
【００６９】
また、このような電子部品４０の高さＺ（ｍｍ）は、通常、０．１〜０．３５ｍｍ程度に設定されている。
【００７０】
ところで、キャリアテープ１を巻回するリールの直径φをＦ（ｍｍ）とし、巻回した際に、第１凹部１２の開口部側、すなわちカバーテープ２０側が平坦化されると仮定した場合、第１凹部１２の深さＡの変化量Ｇ（ｍｍ）は、本発明者の検討の結果、下記式（１）で表し得ることが判っている。この場合、変化量Ｇ（ｍｍ）は、第１凹部１２の深さＡが小さくなるように作用することから、第１凹部１２の実質的な深さは、Ａ−Ｇ（ｍｍ）となる。
【００７１】
また、巻回した際に、第１凹部１２の底部側が平坦化されると仮定した場合、第１凹部１２の深さＡの変化量Ｈ（ｍｍ）を、下記式（２）で表すことができる。この場合、変化量Ｈ（ｍｍ）は、第１凹部１２の深さＡが大きくなるように作用することから、第１凹部１２の実質的な深さは、Ａ＋Ｈ（ｍｍ）となる。
【００７２】
【数１】
2014061944.tif 000003
【００７３】
そこで、上記式（１）および式（２）を用いて、上述したようなサイズの電子部品４０を第１凹部１２内に収納した状態で、直径が５〜３００ｍｍのリールに巻回した際の変化量Ｇおよび変化量Ｈを求めると、変化量Ｇおよび変化量Ｈは、それぞれ、２．０×１０−５〜１．３３×１０−２ｍｍ、および、２．０×１０−５〜１．４６×１０−２ｍｍの範囲内となる。
【００７４】
なお、第１凹部１２の平面視における大きさが電子部品４０の平面視における大きさよりも、縦および横ともに０．０５ｍｍずつ大きく、第１凹部１２の底部の厚さが０．１ｍｍであり、第１凹部１２の深さと電子部品４０の高さの差（Ａ−Ｚ）が０．１５ｍｍである場合を代表に、前記変化量Ｇおよび変化量Ｈを求めている。
【００７５】
したがって、第１凹部１２の深さと電子部品４０の高さの差（Ａ−Ｚ）を、上述したように、より好ましい範囲である０．０５≦Ａ−Ｚ≦０．１５程度に設定することにより、（Ａ−Ｚ）と比較して、変化量Ｇおよび変化量Ｈは、ともに小さいものであると言うことができる。よって、キャリアテープ１を、上述したような直径のリールに巻回したとしても、電子部品４０によりカバーテープ２０が突き破られたり、カバーテープ２０に巻皺が生じたりするのを的確に抑制または防止することができる。さらに、キャリアテープ１のリールに対する巻回をより強固に行うことができるようになるため、巻き崩れや巻き緩みの発生を確実に防止することができる。
【００７６】
また、前記第１凹部１２の内側の縁部１４は、曲率半径が０．２ｍｍ以下で湾曲していることが好ましく、より好ましくは、０．１ｍｍ以下である。第１凹部１２がこのような構成をとることにより、薄型の電子部品４０を包装する場合であっても、第１凹部１２の底面と直交する側壁面の直線部を大きくすることができる。これにより、凹部の側壁面が、底部から縁部にかけて広がることを防止できるため、電子部品４０の収納安定性を向上させることができる。
【００７７】
図１、２に示すカバーテープ２０は、帯状をなし、キャリアテープ１の第１凹部１２内に電子部品４０を収納した状態で、キャリアテープ１の第１面１５に貼り合わされる。
【００７８】
かかる構成とすることで、第１凹部１２の開口が封止され、その結果、キャリアテープ１とカバーテープ２０とを備える包装体１００において、第１凹部１２に電子部品４０が収納される。
【００７９】
このカバーテープ２０は、キャリアテープ１と同様に樹脂で構成することができ、この樹脂としては、キャリアテープ１で挙げたものと同様のものを用いることができる。
【００８０】
これらキャリアテープ１とカバーテープ２０とは、例えば、ヒートシールによって接着される。ヒートシールは、シール機を用いて、カバーテープ２０の長辺の各縁に沿って行われる。なお、キャリアテープ１とカバーテープ２０とは、ヒートシールに代えて、接着剤を用いて接着されてもよい。
【００８１】
このような包装体１００は、カバーテープ２０を包装体１００の長手方向に引っ張ることで、キャリアテープ１からカバーテープ２０が剥離され、これにより、電子部品４０が取り出される。
【００８２】
また、この包装体１００は、第２面１３をリール（芯材）側にして巻回して、保管および輸送される。これにより、包装体１００の保管時および輸送時における省スペース化が図られる。
【００８３】
＜キャリアテープ作製用シート＞
以上のような構成をなす包装体１００は、前述の通り、キャリアテープ１とカバーテープ２０とを貼り合わせることにより得られるが、この包装体１００が有する、第１凹部１２と送り穴１１とを備えるキャリアテープ１は、キャリアテープ作製用シート１５５を、その長手方向に沿ってそれぞれ１列に配置された複数の第１凹部１２と複数の送り穴１１とが含まれるように所定の幅でスリット（切断）することにより製造される。
【００８４】
＜＜第１形態例＞＞
以下、このキャリアテープ作製用シート１５５の第１形態例について説明する。
図５は、キャリアテープ作製用シートの第１形態例を示す部分斜視図、図６は、図５の線Ａ−Ａに沿った断面図である。なお、以下の説明では、図５、６中の上側を「上」、下側を「下」と言う。
【００８５】
図５、６に示すキャリアテープ作製用シート（以下、単に「作製用シート」とも言う。）１５５は、帯状のシート１５１からなる樹脂製のものであり、この作製用シート１５５の第１面１５に、その長手方向に沿って配置された複数の第１凹部１２と、複数の第１凹部１２に平行に配置された複数の送り穴１１とを有している。
【００８６】
また、本実施形態では、キャリアテープ１における第１面１５の反対側の第２面１３は、ほぼ平坦となっている。
【００８７】
複数の第１凹部１２は、本実施形態では、図５に示すように、帯状のシート１５１の長手方向に沿って、第１面１５に１列に並ぶように等間隔で設けられ、さらに、１列に並んだ複数の第１凹部１２が、互いに平行となるように前記長手方向に沿って２列設けられている。また、複数の送り穴１１は、図５に示すように、複数の第１凹部１２に平行となるように、第１面１５に１列に並ぶように等間隔に設けられ、さらに、１列に並んだ複数の送り穴１１が、互いに平行となるように前記長手方向に沿って２列設けられている。
【００８８】
さらに、前記長手方向に沿って１列に並んだ複数の第１凹部１２と、前記長手方向に沿って１列に並んだ複数の送り穴１１とは、それぞれ、互いに平行となるように、作製用シート１５５の短手方向において交互に配置されている。
【００８９】
かかる構成の作製用シート１５５を、１列に並んだ複数の第１凹部１２と１列に並んだ複数の送り穴１１とが１対で含まれるようにして、作製用シート１５５の長手方向に沿って、所定の幅で作製用シート１５５をスリットすることにより、２つのキャリアテープ１が得られる。すなわち、図５中に示す想像線に沿って作製用シート１５５をスリット（切断）することで、１列に並んだ複数の第１凹部１２と１列に並んだ複数の送り穴１１とを１対で備えるキャリアテープ１を２つ製造することができる。
【００９０】
この作製用シート１５５は、第１面１５または第２面１３をリール（芯材）側にして巻回して、保管および輸送することで、作製用シート１５５の保管時および輸送時における省スペース化が図られる。また、この際に用いられるリールは、その直径が５〜３００ｍｍ程度であるのが好ましく、３０〜２５０ｍｍ程度であるのがより好ましい。これにより、作製用シート１５５の保管時および輸送時における省スペース化を図ることができるとともに、この巻回により、第１凹部１２および送り穴１１が不用意に変形してしまうのを的確に抑制または防止することができる。
【００９１】
なお、本実施形態では、作製用シート１５５において、１列に並んだ複数の第１凹部１２が、互いに平行となるように前記長手方向に沿って２列設けられ、さらに、１列に並んだ複数の送り穴１１が、互いに平行となるように前記長手方向に沿って２列設けられ、この作製用シート１５５から２つのキャリアテープ１が製造される作製用シート１５５を一例に説明したが、作製用シート１５５はかかる構成のものに限定されず、例えば、１列に並んだ複数の第１凹部１２が１つ設けられ、さらに、１列に並んだ複数の送り穴１１が１つ設けられ、この作製用シート１５５から１つのキャリアテープ１が製造されるものであってもよい。さらに、１列に並んだ複数の第１凹部１２が、互いに平行となるように前記長手方向に沿って３列以上設けられ、さらに、１列に並んだ複数の送り穴１１が、互いに平行となるように前記長手方向に沿って３列以上設けられ、この作製用シート１５５から３つ以上のキャリアテープ１が製造されるものであってもよい。
【００９２】
＜キャリアテープ作製用シート製造装置＞
＜＜第１実施形態＞＞
以上のような構成の作製用シート１５５は、本発明のキャリアテープ作製用シートの製造方法を適用することで製造することができるが、以下では、まず、このキャリアテープ作製用シートの製造方法に用いられるキャリアテープ作製用シート製造装置について説明する。
【００９３】
以下、このキャリアテープ作製用シート製造装置の第１実施形態について説明する。
図７は、本発明のキャリアテープ作製用シートの製造方法が適用されたキャリアテープ作製用シート製造装置の第１実施形態を示す斜視図、図８は、図７のＣ矢視図である。なお、以下の説明では、図７中の上側を「上」、下側を「下」と言う。
【００９４】
図７、８に示すキャリアテープ作製用シート製造装置５００は、シート供給部７００と、成形部８００とを有している。
【００９５】
シート供給部７００は、ローラ（ロール）１５６と、ヘッド６００とを有している。
ローラ１５６は、帯状のシート１５１を送り出す送出手段であり、このローラ１５６には、シート１５１が巻回されている。ローラ１５６は、図示しないモータ（駆動手段）により、回転するよう構成されており、ローラ１５６の回転により、ローラ１５６からシート１５１が、タッチロール１１０と冷却ロール１２０との間に、連続的に送り出されるようになっている。
【００９６】
なお、本実施形態では、ローラ１５６に巻回された帯状（長尺状）をなすシート１５１が、タッチロール１１０と冷却ロール１２０との間に送り出されることとしたが、送り出されるシート１５１は、かかる構成のものに限定されず、例えば、帯状をなすシート１５１を短冊状に予め裁断したものであってもよく、この短冊状をなすシート１５１をタッチロール１１０と冷却ロール１２０との間に送り出すようにしてもよい。
【００９７】
ヘッド６００は、その開口部６０１から加熱した熱風を吹き出す加熱手段であり、ローラ１５６と冷却ロール１２０との間に配置され、ローラ１５６から送り出されたシート１５１の第１面１５に、加熱した熱風を吹き付けることで、シート１５１の少なくとも第１面１５側を溶融または軟化し得るよう構成されている。
【００９８】
なお、ヘッド６００は、図７、８のように、開口部６０１から加熱した熱風を第１面１５に吹き付ける構成のものに限らず、例えば、加熱した熱板を第１面１５に当て付ける構成のものであってもよい。すなわち、加熱手段は、シート１５１を加熱して、その少なくとも第１面１５側を溶融または軟化し得るものであれば、如何なる構成のものであってもよい。
【００９９】
成形部８００は、タッチロール１１０と、冷却ロール１２０と、後段冷却ロール１３０、１４０とを有している。これらのロールは、それぞれ図示しないモータ（駆動手段）により、それぞれ単独回転するように構成されており、これらのロールの回転により、シート１５１が連続的に送り出されるようになっている。この成形部８００に、シート１５１の少なくとも第１面１５側が溶融または軟化された溶融シート１５０を連続的に送り込むことにより、溶融シート１５０の第１面１５に第１凹部１２が成形されるとともに、溶融シート１５０の第２面１３が平坦化される。
【０１００】
冷却ロール（第１ロール）１２０は、シート１５１の少なくとも第１面１５側が溶融または軟化された溶融シート１５０を冷却する冷却手段を備えるとともに、その外周面に、第１凹部１２を成形するための突起物２０１を有する第１金型部２００を備えている。本実施形態では、この第１金型部２００は、複数の突起物２０１を有し、これらの突起物２０１は、冷却ロール１２０の外周面の周方向に等間隔で設けられている。かかる構成の第１金型部２００が、冷却ロール１２０の外周面に、２つ設けられている。このような冷却ロール１２０に対して、溶融シート１５０を押し当てることにより、その第１面１５に第１凹部１２が形成されるとともに、溶融シート１５０が冷却される。
【０１０１】
本実施形態では、複数の突起物２０１を有する第１金型部２００により成形金型２２０が構成される。
【０１０２】
タッチロール（第２ロール）１１０は、外周面が平滑性を有するロールであり、冷却ロール１２０に対向配置されている。このようなタッチロール１１０と冷却ロール１２０との間に、溶融シート１５０を供給することで、溶融シート１５０の第２面１３が平坦化される。
【０１０３】
後段冷却ロール１３０、１４０は、ともに、溶融シート１５０を冷却する冷却手段を備え、タッチロール１１０および冷却ロール１２０の後段に配置されている。また、本実施形態において、後段冷却ロール１３０と後段冷却ロール１４０とでは、後段冷却ロール１４０が後段冷却ロール１３０よりも後段に配置されている。このような後段冷却ロール１３０、１４０に、溶融シート１５０を供給することにより、溶融シート１５０をより確実に冷却することができる。
【０１０４】
なお、本実施形態では、タッチロール１１０、冷却ロール１２０および後段冷却ロール１３０、１４０は、これらのロールの中心が一直線上に乗るように配置されている。このような配置により、冷却ロール１２０には溶融シート１５０の第１面１５が冷却ロール１２０を１８０°回転させるまで当接し、後段冷却ロール１３０には溶融シート１５０の第２面１３が後段冷却ロール１３０を１８０°回転させるまで当接し、後段冷却ロール１４０には溶融シート１５０の第１面１５が後段冷却ロール１４０を９０°回転させるまで当接する。よって、各冷却ロール１２０、１３０、１４０に、溶融シート１５０の第１面１５および第２面１３が交互に当接した状態で、溶融シート１５０が冷却されることとなるため、第１面１５または第２面１３側に反りが生じた状態で溶融シート１５０が冷却されてしまうのを確実に防止することができる。
【０１０５】
＜キャリアテープ作製用シートの製造方法＞
以上のようなキャリアテープ作製用シート製造装置５００を用いた、本発明のキャリアテープ作製用シートの製造方法により、第１形態例の作製用シート１５５が製造される。
【０１０６】
本発明のキャリアテープ作製用シート（電子部品収納用キャリアテープ）の製造方法は、帯状のシート１５１を加熱してシート１５１の少なくとも第１面１５側を溶融または軟化させる加熱工程と、シート１５１の第１面１５に第１凹部１２を成形する成形工程とを有している。
【０１０７】
以下、作製用シート１５５を製造するための各工程について詳述する。
［Ａ］まず、帯状のシート１５１を加熱してシート１５１の少なくとも第１面１５側を溶融または軟化させる（加熱工程）。
【０１０８】
［Ａ−１］まず、図示しないモータの駆動により、ローラ１５６を回転させて、ローラ１５６に巻回されたシート１５１を、タッチロール１１０と冷却ロール１２０との間に連続的に送り出す（供給する）。
【０１０９】
［Ａ−２］次いで、ローラ１５６と冷却ロール１２０との途中で、シート１５１の第１面１５に、ヘッド６００の開口部６０１から、加熱した熱風を吹き付ける。
【０１１０】
これにより、シート１５１の少なくとも第１面１５側が溶融または軟化され、その結果、シート１５１は、タッチロール１１０と冷却ロール１２０との間に、少なくとも第１面１５側が溶融または軟化された状態の溶融シート１５０として送り出される。
【０１１１】
なお、シート１５１への熱風を吹き付ける程度、すなわちシート１５１の加熱の程度は、次工程［Ｂ］において、第１金型部２００を押し付けた際に、シート１５１の第１面１５に第１凹部１２が形成される程度に、第１面１５側が軟化していればよく、必ずしも第１面１５側が溶融している必要はない。さらに、第２面１３側まで全体が軟化または溶融している必要もない。
【０１１２】
［Ｂ］次に、シート１５１の第１面１５に第１凹部１２を成形する（成形工程）。
この成形工程は、タッチロール１１０と冷却ロール１２０との間に、溶融シート１５０を供給することにより行われる。
【０１１３】
この際、冷却ロール１２０の外周面（外周）は、複数の突起物２０１を有するロール状をなす第１金型部２００を備えており、その突起物２０１は、冷却ロール１２０の周方向に沿って等間隔に並ぶように配設されている。そのため、溶融シート１５０の第１面１５には、突起物２０１の形状に対応した第１凹部１２がシート１５１の供給方向すなわちシート１５１の長手方向に沿って複数、等間隔で形成される。
【０１１４】
このように、本工程［Ｂ］において、冷却ロール１２０が備える突起物２０１を有する第１金型部２００は、第１凹部１２を成形するために用いられる。
【０１１５】
さらに、第２面１３側も軟化または溶融した状態である場合には、タッチロール１１０の外周面が平滑性を有するロール状をなしているため、溶融シート１５０の第２面１３は、平滑性を有する外周面に押し当てられることにより、平坦化される。
【０１１６】
このように、本工程［Ｂ］において、タッチロール１１０は、第２面１３を平坦化するために用いられる。
【０１１７】
［Ｃ］次に、シート１５１を冷却する（冷却工程）。
この冷却工程は、溶融シート１５０を、冷却ロール１２０と後段冷却ロール１３０との間に供給し、その後、後段冷却ロール１３０と後段冷却ロール１４０との間に供給することにより行われる。
【０１１８】
これにより、溶融シート１５０は、冷却ロール１２０に、冷却ロール１２０が１８０°回転するまで溶融シート１５０の第１面１５が当接し、後段冷却ロール１３０に、後段冷却ロール１３０が１８０°回転するまで溶融シート１５０の第２面１３が当接し、後段冷却ロール１４０に、後段冷却ロール１４０が９０°回転するまで溶融シート１５０の第１面１５が当接する。
【０１１９】
ここで、本実施形態では、冷却ロール１２０、後段冷却ロール１３０および後段冷却ロール１４０のいずれもが冷却手段を備えている。そのため、上記のような、溶融シート１５０の各ロール１２０、１３０、１４０との当接（接触）により、第１面１５に第１凹部１２が形成された溶融シート１５０が冷却され、その結果、第１面１５に第１凹部１２が成形されたシート１５１が得られる。
【０１２０】
なお、本実施形態では、各冷却ロール１２０、１３０、１４０に、溶融シート１５０の第１面１５および第２面１３が交互に当接した状態で、溶融シート１５０が冷却される。そのため、第１面１５または第２面１３側に反りが生じた状態で溶融シート１５０が冷却されてしまうのを確実に防止することができる。
【０１２１】
以上のように、本工程［Ｃ］において、冷却手段を備える各冷却ロール１２０、１３０、１４０は、溶融シート１５０を冷却するために用いられる。
【０１２２】
［Ｄ］次に、第１凹部１２が成形されたシート１５１に対して、送り穴１１を形成する（送り穴形成工程）。
これにより、第１凹部１２と送り穴１１とを備える作製用シート１５５を得ることができる。
【０１２３】
なお、このような送り穴１１の形成は、例えば、シート１５１の送り穴１１を形成すべき位置を、送り穴１１の形状に対応したヘッドを有する打ち抜き機を用いて打ち抜くことで行うことができる。
【０１２４】
また、送り穴１１の形成は、本工程［Ｄ］のように、第１凹部１２の成形の後に行う必要はなく、例えば、前記成形工程［Ｂ］において、第１凹部１２の成形に併せて行うようにしてもよい。
【０１２５】
さらに、電子部品の表面実装機へのフィードを、送り穴を用いることなく実施する場合には、この送り穴１１の形成工程を省略することができる。
【０１２６】
［Ｅ］次に、得られた作製用シート１５５を、第１面１５または第２面１３をリール（芯材）側にして巻回する（巻回工程）。
【０１２７】
このように作製用シート１５５をリールに巻回することで、作製用シート１５５の保管時および輸送時における省スペース化に寄与する。
【０１２８】
なお、保管時および輸送時の作製用シート１５５の形態は、リールに巻回する場合に限らず、例えば、帯状をなす作製用シート１５５を、その途中で幅方向に沿って裁断して短冊状のものとし、短冊状とされた作製用シート１５５を重ねた状態で、保管および輸送するようにしてもよい。
以上のようにして、作製用シート１５５がリールに巻回された状態で製造される。
【０１２９】
なお、本工程［Ｅ］に先立って、得られた作製用シート１５５を、１列に並んだ複数の第１凹部１２と１列に並んだ複数の送り穴１１とが１対で含まれるようにして、作製用シート１５５の長手方向に沿って、所定の幅で作製用シート１５５をスリット（切断）するようにしてもよい（本発明の電子部品収納用キャリアテープの製造方法）。これにより、２つのキャリアテープ１を得ることができ、本工程［Ｅ］において、リールに巻回された状態のキャリアテープ１を２つ製造することができる。
【０１３０】
＜包装体のその他の構成例＞
また、包装体１００は、上述したような第１構成例のものの他、例えば、以下のような構成のものであってもよい。
【０１３１】
＜＜第２構成例＞＞
まず、包装体の第２構成例について説明する。
【０１３２】
図１５は、本発明の電子部品収納用キャリアテープの製造方法により製造された包装体の第２構成例を示す部分斜視図、図１６は、図１５の線Ｈ−Ｈに沿った断面図、図１７は図１５の線Ｊ−Ｊに沿った断面図である。なお、以下の説明では、図１５〜１７中の上側を「上」、下側を「下」と言う。また、図１５では、包装体が備えるキャリアテープの第１凹部内に収納された電子部品を示すために、包装体が備える任意のカバーテープが部分的に取り外されている。第１凹部の内部をよりはっきり示すために、電子部品は先頭のポケットから省かれている。
【０１３３】
第２構成例における包装体１００が備えるキャリアテープ１は、帯状のシートの長手方向に沿って配置された複数の第１凹部１２を有する樹脂製の電子部品収納用キャリアテープであって、第１凹部１２は、キャリアテープ１の第１面１５に形成され、キャリアテープ１における第１面１５の反対側の第２面１３は、ほぼ平坦であるが、第２構成例のように、第１凹部１２の底部およびその外周部付近において、第２面１３がやや凹んでいてもよい。
【０１３４】
＜＜第３構成例＞＞
次に、包装体の第３構成例について説明する。
図１８は、本発明の電子部品収納用キャリアテープの製造方法により製造された包装体の第３構成例を示す部分斜視図、図１９は、図１８の線Ｋ−Ｋに沿った断面図、図２０は図１８の線Ｌ−Ｌに沿った断面図である。なお、以下の説明では、図１８〜２０中の上側を「上」、下側を「下」と言う。また、図１８では、包装体が備えるキャリアテープの第１凹部内に収納された電子部品を示すために、包装体が備える任意のカバーテープが部分的に取り外されている。第１凹部の内部をよりはっきり示すために、電子部品は先頭のポケットから省かれている。
【０１３５】
第３構成例における包装体１００が備えるキャリアテープ１は、帯状のシートの長手方向に沿って配置された複数の第１凹部１２を有する樹脂製の電子部品収納用キャリアテープであって、第１凹部１２は、キャリアテープ１の第１面１５に形成され、キャリアテープ１における第１面１５の反対側の第２面１３は、ほぼ平坦であるが、第３構成例のように、第１凹部１２の底部およびその外周部付近において、第２面１３がやや膨らんでいてもよい。
【０１３６】
＜キャリアテープ作製用シート製造装置＞
また、キャリアテープ１を製造するために用いられるキャリアテープ作製用シート製造装置は、上述したような第１実施形態のものに限定されず、例えば、以下のような構成のものであってもよい。
【０１３７】
＜＜第２実施形態＞＞
まず、第２実施形態のキャリアテープ作製用シート製造装置５００について説明する。
【０１３８】
図２１は、本発明のキャリアテープ作製用シートの製造方法が適用されたキャリアテープ作製用シート製造装置の第２実施形態を示す縦断面図である。
【０１３９】
以下、前述した第１実施形態のキャリアテープ作製用シート製造装置５００との相違点を説明し、同様の事項については、その説明を省略する。
【０１４０】
この第２実施形態のキャリアテープ作製用シート製造装置５００では、後段冷却ロール１３０および後段冷却ロール１４０の配置が省略されている。
【０１４１】
かかる構成のキャリアテープ作製用シート製造装置５００では、冷却ロール１２０に、溶融シート１５０の第１面１５が冷却ロール１２０を９０°回転させるまで当接する。
【０１４２】
＜＜第３実施形態＞＞
次に、第３実施形態のキャリアテープ作製用シート製造装置５００について説明する。
【０１４３】
図２２は、本発明のキャリアテープ作製用シートの製造方法が適用されたキャリアテープ作製用シート製造装置の第３実施形態を示す縦断面図である。
【０１４４】
以下、前述した第１実施形態のキャリアテープ作製用シート製造装置５００との相違点を説明し、同様の事項については、その説明を省略する。
【０１４５】
この第３実施形態のキャリアテープ作製用シート製造装置５００では、後段冷却ロール１４０の配置が省略されている。
【０１４６】
かかる構成のキャリアテープ作製用シート製造装置５００では、冷却ロール１２０に、溶融シート１５０の第１面１５が冷却ロール１２０を１８０°回転させるまで当接し、後段冷却ロール１３０に、溶融シート１５０の第２面１３が後段冷却ロール１３０を９０°回転させるまで当接する。
【０１４７】
＜＜第４実施形態＞＞
次に、第４実施形態のキャリアテープ作製用シート製造装置５００について説明する。
【０１４８】
図２３は、本発明のキャリアテープ作製用シートの製造方法が適用されたキャリアテープ作製用シート製造装置の第４実施形態を示す縦断面図である。
【０１４９】
以下、前述した第１実施形態のキャリアテープ作製用シート製造装置５００との相違点を説明し、同様の事項については、その説明を省略する。
【０１５０】
この第４実施形態のキャリアテープ作製用シート製造装置５００では、後段冷却ロール１３０、１４０を配置する位置が異なり、後段冷却ロール１３０が冷却ロール１２０の下側に位置している。
【０１５１】
すなわち、タッチロール１１０の中心と冷却ロール１２０の中心とを結ぶ線分、および、後段冷却ロール１３０の中心と後段冷却ロール１４０の中心とを結ぶ線分と、冷却ロール１２０の中心と後段冷却ロール１３０の中心とを結ぶ線分とが、それぞれ、直交している。
【０１５２】
かかる構成のキャリアテープ作製用シート製造装置５００では、冷却ロール１２０に、溶融シート１５０の第１面１５が冷却ロール１２０を９０°回転させるまで当接し、後段冷却ロール１３０に、溶融シート１５０の第２面１３が後段冷却ロール１３０を９０°回転させるまで当接し、後段冷却ロール１４０に、溶融シート１５０の第１面１５が後段冷却ロール１４０を９０°回転させるまで当接する。
【０１５３】
＜＜第５実施形態＞＞
次に、第５実施形態のキャリアテープ作製用シート製造装置５００について説明する。
【０１５４】
図２４は、本発明のキャリアテープ作製用シートの製造方法が適用されたキャリアテープ作製用シート製造装置の第５実施形態を示す縦断面図である。
【０１５５】
以下、前述した第４実施形態のキャリアテープ作製用シート製造装置５００との相違点を説明し、同様の事項については、その説明を省略する。
【０１５６】
この第５実施形態のキャリアテープ作製用シート製造装置５００では、冷却ロール１２０が第１金型部２００を備えておらず、後段冷却ロール１３０が第１金型部２００を備えている。
【０１５７】
かかる構成のキャリアテープ作製用シート製造装置５００では、タッチロール１１０と冷却ロール１２０とにより、第１面１５と第２面１３との双方の平坦化が行われた後に、第１面１５に第１凹部１２が形成される。
【０１５８】
＜＜第６実施形態＞＞
次に、第６実施形態のキャリアテープ作製用シート製造装置５００について説明する。
【０１５９】
図２５は、本発明のキャリアテープ作製用シートの製造方法が適用されたキャリアテープ作製用シート製造装置の第６実施形態を示す縦断面図である。
【０１６０】
以下、前述した第１実施形態のキャリアテープ作製用シート製造装置５００との相違点を説明し、同様の事項については、その説明を省略する。
【０１６１】
この第６実施形態のキャリアテープ作製用シート製造装置５００では、冷却ロール１２０が第１金型部２００を備えておらず、タッチロール１１０が第１金型部２００を備えている。
【０１６２】
＜＜第７〜第１０実施形態＞＞
次に、第７〜第１０実施形態のキャリアテープ作製用シート製造装置５００について説明する。
【０１６３】
図２６〜２９は、本発明のキャリアテープ作製用シートの製造方法が適用されたキャリアテープ作製用シート製造装置の第７〜第１０実施形態を示す縦断面図である。
【０１６４】
この第７〜第１０実施形態のキャリアテープ作製用シート製造装置５００では、それぞれ、第１〜第３、第６実施形態のキャリアテープ作製用シート製造装置５００に対して、さらにタッチロール１７０を、第２面１３に当接するように配置する構成となっている。
【０１６５】
かかる構成のキャリアテープ作製用シート製造装置５００では、タッチロール１１０とタッチロール１７０との双方で第２面１３の平坦化が行われるため、第２面１３の平坦性をより向上させることができる。
【０１６６】
＜＜第１１実施形態＞＞
次に、第１１実施形態のキャリアテープ作製用シート製造装置５００について説明する。
【０１６７】
図３０は、本発明のキャリアテープ作製用シートの製造方法が適用されたキャリアテープ作製用シート製造装置の第１１実施形態を示す縦断面図である。
【０１６８】
以下、前述した第１実施形態のキャリアテープ作製用シート製造装置５００との相違点を説明し、同様の事項については、その説明を省略する。
【０１６９】
この第１１実施形態のキャリアテープ作製用シート製造装置５００では、複数のタッチロール１１０、１７０、およびテンションロール１９０に平坦なシームレスベルト３００が装着された構成となっている。
【０１７０】
かかる構成のキャリアテープ作製用シート製造装置５００では、平坦なシームレスベルト３００に当接する距離が、タッチロール１１０に当接させる距離よりも長くなるため、第２面１３のさらなる平坦化を図ることができる。
【０１７１】
＜＜第１２実施形態＞＞
次に、第１２実施形態のキャリアテープ作製用シート製造装置５００について説明する。
【０１７２】
図３１は、本発明のキャリアテープ作製用シートの製造方法が適用されたキャリアテープ作製用シート製造装置の第１２実施形態を示す縦断面図である。
【０１７３】
以下、前述した第６実施形態のキャリアテープ作製用シート製造装置５００との相違点を説明し、同様の事項については、その説明を省略する。
【０１７４】
この第１２実施形態のキャリアテープ作製用シート製造装置５００では、複数のタッチロール１１０、１７０、およびテンションロール１９０に、複数の突起物２０１を備える第１金型部２００が形成されたシームレスベルト３１０が装着された構成となっている。
【０１７５】
かかる構成のキャリアテープ作製用シート製造装置５００では、金型が形成されたシームレスベルト３１０に当接する距離が、金型を備えるタッチロール１１０に当接させる距離よりも長くなるため、第１凹部１２の成形性を確実に向上させることができる。
【０１７６】
＜＜第１３実施形態＞＞
次に、第１３実施形態のキャリアテープ作製用シート製造装置５００について説明する。
【０１７７】
図３２は、本発明のキャリアテープ作製用シートの製造方法が適用されたキャリアテープ作製用シート製造装置の第１３実施形態を示す縦断面図である。
【０１７８】
この第１３実施形態のキャリアテープ作製用シート製造装置５００では、複数のタッチロール１１０、１７０、１８０、およびテンションロール１９０に平坦なシームレスベルト３００が装着され、金型を有しない複数の冷却ロール１２０、１３０に、第１金型部２００が形成されたシームレスベルト３１０が装着された構成となっている。
【０１７９】
かかる構成のキャリアテープ作製用シート製造装置５００では、各シームレスベルト３００、３１０に当接する距離が長くなるため、第２面１３のさらなる平坦化が図られるとともに、第１凹部１２の成形性を確実に向上させることができる。
【０１８０】
なお、各実施形態におけるタッチロールや冷却ロールは、隣接するタッチロールや冷却ロール等に対して、９０度または１８０度の位置にあるだけでなく、可動式として、隣接するタッチロールや冷却ロールに対して、様々な角度で配置することもできる。
【０１８１】
＜キャリアテープ作製用シートの他の形態例＞
また、キャリアテープ作製用シート１５５は、上述したような第１形態例の他、例えば、以下のような第２形態例のものによってもキャリアテープ１を作製することができる。
【０１８２】
＜＜第２形態例＞＞
以下、このキャリアテープ作製用シート１５５の第２形態例について説明する。
図３３は、キャリアテープ作製用シートの第２形態例を示す部分斜視図、図３４は、図３３の線Ａ−Ａに沿った断面図、図３５は、図３３の線Ｂ−Ｂに沿った断面図である。なお、以下の説明では、図３３〜３５中の上側を「上」、下側を「下」と言う。
【０１８３】
図３３〜３５に示す本形態例のキャリアテープ作製用シート１５５は、帯状のシート１５１からなる樹脂製のものであり、この作製用シート１５５の第１面１５に、その長手方向に沿って配置された複数の第１凹部１２と、複数の第１凹部１２に平行に配置された複数の送り穴１１と、複数の第１凹部１２に平行に配置された複数の第２凹部（位置補正用凹部）１６とを有している。
【０１８４】
すなわち、本形態例のキャリアテープ作製用シート１５５は、前記第１形態例のキャリアテープ作製用シート１５５と比較して、第１凹部１２および送り穴１１の他に、さらに、複数の第１凹部１２に平行に配置された複数の第２凹部１６を有している。
【０１８５】
複数の第２凹部１６は、図３３に示すように、複数の第１凹部１２に平行となるように、第１面１５に１列に並ぶように等間隔に設けられ、さらに、１列に並んだ複数の第２凹部１６が、互いに平行となるように前記長手方向に沿って２列設けられている。
【０１８６】
このように長手方向に沿って１列に並んだ複数の第２凹部１６は、前記長手方向に沿って１列に並んだ複数の第１凹部１２および前記長手方向に沿って１列に並んだ複数の送り穴１１を挟むように、作製用シート１５５の短手方向の端部側に、それぞれ、前記長手方向に沿って１列に並んだ複数の第１凹部１２と平行となるように配置されている。
【０１８７】
かかる構成の本形態例の作製用シート１５５を、１列に並んだ複数の第１凹部１２と１列に並んだ複数の送り穴１１とが１対で含まれ、かつ、１列に並んだ複数の第２凹部１６が除かれるようにして、作製用シート１５５の長手方向に沿って、所定の幅で作製用シート１５５をスリットすることにより、２つのキャリアテープ１が得られる。すなわち、図３３中に示す想像線に沿って作製用シート１５５をスリットすることで、１列に並んだ複数の第１凹部１２と１列に並んだ複数の送り穴１１とを１対で備えるキャリアテープ１を２つ製造することができる。
【０１８８】
このような作製用シート１５５において、本形態例では、第２凹部（位置補正用凹部）１６を備える点で、第１形態例の作製用シート１５５と異なるが、この第２凹部１６は、後述する作製用シート１５５の製造方法において、複数の送り穴１１を、複数の第１凹部１２に対して平行となるように設けるために用いられる。すなわち、送り穴１１を、第１凹部１２に対して優れた位置精度で設けるために用いられる。
【０１８９】
この第２凹部１６は、その深さをＪ（ｍｍ）とし、作製用シート１５５における第２凹部１６の底部の厚さをＫ（ｍｍ）として、作製用シート１５５における前記第１凹部および第２凹部以外の部分の厚みをＣ（ｍｍ）としたとき、Ｊ＋Ｋ＝Ｃをほぼ満たすことが好ましい。Ｊ＋Ｋ＝Ｃをほぼ満たすとは、例えば、−０．１＜Ｃ−（Ｊ＋Ｋ）＜０．１を満たすことが好ましく、−０．０５＜Ｃ−（Ｊ＋Ｋ）＜０．０５を満たすことがより好ましい。前記式を満たすことで、第２面１３がより平坦となり、作製用シート１５５をリールに巻いて保管する時や輸送する際の巻き崩れや巻き緩みを防止することができる。
【０１９０】
また、第２凹部１６の深さＪは、作製用シート１５５における前記第１凹部および第２凹部以外の部分の厚みＣにより変化するが、Ｃ−０．１５≦Ｊ≦Ｃ−０．０５を満たすことが好ましく、Ｃ−０．１３≦Ｊ≦Ｃ−０．０７がより好ましい。前記好ましい範囲にあることにより、作製用シート１５５の製造方法において、後述する位置補正用パイロットおよび位置出し用パイロットを第２凹部１６に収納させることができるとともに、これらの収納時に第２凹部１６が破断されるのを確実に防止することができる。
【０１９１】
また、前記第２凹部１６の内側の縁部１８は、曲率半径が０．２ｍｍ以下で湾曲していることが好ましく、より好ましくは、０．１ｍｍ以下である。第２凹部１６がこのような構成をとることにより、第２凹部１６の底面と直交する側壁面の直線部を大きくすることができる。これにより、第２凹部１６の側壁面が、底部から縁部にかけて広がることを防止できるため、位置補正用パイロットおよび位置出し用パイロットを確実に第２凹部１６内に収納させることができるようになる。
【０１９２】
＜キャリアテープ作製用シート製造装置＞
＜＜第１４実施形態＞＞
以上のような第２形態例の作製用シート１５５は、本発明のキャリアテープ作製用シートの製造方法を適用することで製造することができるが、以下では、まず、このキャリアテープ作製用シートの製造方法に用いられる第１４実施形態のキャリアテープ作製用シート製造装置について説明する。
【０１９３】
図３６は、本発明のキャリアテープ作製用シートの製造方法が適用されたキャリアテープ作製用シート製造装置の第１４実施形態を示す斜視図、図３７は、図３６のＣ矢視図である。なお、以下の説明では、図３６中の上側を「上」、下側を「下」と言う。さらに、図３７では、説明の便宜上、キャリアテープ作製用シート製造装置が備える打抜金型を図３６中Ｄ−Ｄ線断面図で示す。
【０１９４】
図３６、３７に示すキャリアテープ作製用シート製造装置５００は、シート供給部７００と、成形部８００と、打抜金型９００を備える打抜部とを有している。
【０１９５】
シート供給部７００は、ローラ（ロール）１５６と、ヘッド６００とを有しており、前記第１実施形態のキャリアテープ作製用シート製造装置５００が備えるシート供給部７００と同様の構成をなすものである。
【０１９６】
成形部８００は、タッチロール１１０と、冷却ロール１２０と、後段冷却ロール１３０、１４０とを有している。これらのロールは、それぞれ図示しないモータ（駆動手段）により、それぞれ単独回転するように構成されており、これらのロールの回転により、シート１５１が連続的に送り出されるようになっている。この成形部８００に、溶融シート１５０を連続的に送り込むことにより、溶融シート１５０の第１面１５に第１凹部１２および第２凹部１６が成形されるとともに、溶融シート１５０の第２面１３が平坦化される。
【０１９７】
冷却ロール（第１ロール）１２０は、シート供給部７００から供給された溶融状態とされた溶融シート１５０を冷却する冷却手段を備えるとともに、その外周面に、第１凹部１２を成形するための突起物２０１を有する第１金型部２００と、第２凹部１６を成形するための突起物２１１を有する第２金型部２１０とを備える成形金型２２０を有している。
【０１９８】
本実施形態では、成形金型２２０が備える第１金型部２００は、複数の突起物２０１を有し、これらの突起物２０１は、冷却ロール１２０の外周面に配置され、その周方向に等間隔で設けられている。また、成形金型２２０が備える第２金型部２１０は、複数の突起物２１１を有し、これらの突起物２１１は、冷却ロール１２０の外周面に配置され、その周方向に等間隔で設けられている。かかる構成の第１金型部２００および第２金型部２１０は、それぞれ、冷却ロール１２０の外周面に、２つずつ設けられており、２つの第１金型部２００が中心部側に、２つの第２金型部２１０を縁部側にして、２つの第１金型部２００を２つの第２金型部２１０で挟むように配置されている。このような冷却ロール１２０に対して、溶融シート１５０を押し当てることにより、その第１面１５に第１凹部１２および第２凹部１６が形成されるとともに、溶融シート１５０が冷却される。
【０１９９】
すなわち、本実施形態では、成形金型２２０は、突起物２０１を有する第１金型部２００の他に、突起物２１１を有する第２金型部２１０を備え、この第２金型部２１０が有する突起物２１１に対応して第２凹部１６が形成される。
【０２００】
タッチロール（第２ロール）１１０、および後段冷却ロール１３０、１４０は、前記第１実施形態のキャリアテープ作製用シート製造装置５００が備えるタッチロール１１０、および後段冷却ロール１３０、１４０と同様の構成をなすものである。
このような成形部８００において、冷却ロール１２０と、タッチロール１１０との間に、溶融シート１５０を供給することにより、第１面１５に第１凹部１２および第２凹部１６が形成され、第２面１３が平坦化される。
【０２０１】
また、冷却ロール１２０と、タッチロール１１０との間を通過した溶融シート１５０を、冷却ロール１２０と後段冷却ロール１３０との間に供給し、その後、後段冷却ロール１３０と後段冷却ロール１４０との間に供給することにより、溶融シート１５０が冷却される。
【０２０２】
打抜部は、図示しないプレス機と図示しないシート搬送装置および打抜金型９００で構成され、この打抜金型９００は、成形部８００から供給されたシート１５１を支持（載置）する支持台９５０と、シート１５１を打ち抜くことでシート１５１に送り穴１１を形成する打抜ヘッド９１０とを有している。この打抜金型９００に、シート１５１を送り込むことにより、シート１５１の第１面１５と第２面１３とを貫通する送り穴１１が優れた位置精度で形成される。
【０２０３】
打抜ヘッド９１０は、第１基体９２０と、第１基体９２０の上側に配置される第２基体９３０と、第１基体９２０の下側に配置される押さえ板（ストリッパ）９４０と、シート１５１が備える第２凹部１６に先端部を挿入する位置出し用パイロット９２３および位置補正用パイロット９３２と、シート１５１に形成された送り穴１１を先端部で位置規制するパイロットピン９３１と、シート１５１に送り穴１１を形成する打抜工具９２１とを有している。
【０２０４】
第１基体９２０は、その全体形状が直方体状をなし、その中央部には上下方向（厚さ方向）に貫通する貫通孔が設けられ、さらに、その長手方向における両端部にはそれぞれ上下方向に貫通する貫通孔が設けられている。この第１基体９２０は、その長手方向がシート１５１の搬送方向（進行方向）に一致するように配置され、さらに、複数の貫通孔のうち、中央部の貫通孔には、打抜工具９２１が配置され、両端部の貫通孔には、それぞれ、位置出し用パイロット９２３が挿通されている。
【０２０５】
第２基体９３０は、第１基体９２０の上側に配置され、その全体形状が直方体状をなしており、下面に開口する複数の穴部が設けられている。これらの穴部には、それぞれ、パイロットピン９３１および位置補正用パイロット９３２が、その先端部を突出するようにして挿通されている。なお、これらの穴部内において、パイロットピン９３１および位置補正用パイロット９３２は、それぞれ、それらの基端部がバネ材９３３で付勢された状態で挿通されている。
【０２０６】
打抜工具９２１は、複数の突起物９２２と、上下方向に貫通する複数の貫通孔とを有している。複数の突起物９２２は、打抜工具９２１の下面から突出するように格子状（本実施形態では縦に２つ、横に６つずつ）に設けられている。また、複数の貫通孔には、それぞれ、位置補正用パイロット９３２およびパイロットピン９３１の先端側が挿通されている。このような打抜工具９２１で、突起物９２２を用いてシート１５１を打ち抜くことにより、その第１面１５と第２面１３とを貫通する送り穴１１が形成される。
【０２０７】
押さえ板９４０は、第１基体９２０の下側に配置され、その全体形状が帯状をなす板材で構成され、上下方向に貫通する複数の貫通孔が設けられている。これらの貫通孔には、それぞれ、位置補正用パイロット９３２、パイロットピン９３１および突起物９２２が、それらの先端部が突出し得るように挿通されている。このような押さえ板９４０で、支持台９５０上に供給されたシート１５１を押さえることで、打抜工具９２１でシート１５１を打ち抜く際に、シート１５１が位置ズレするのを確実に防止することができる。
【０２０８】
位置出し用パイロット９２３は、その全体形状が四角柱状をなす棒状体で構成され、第１基体９２０の両端部に設けられた貫通孔に挿通されており、その先端部が第１基体９２０の下面から突出している。このような位置出し用パイロット９２３を用いて、その先端部を、支持台９５０上に供給（搬送）されたシート１５１が備える第２凹部１６に挿入することで、位置補正用パイロット９３２でシート１５１が備える第２凹部１６を位置規制させるのに先立って、シート１５１の位置規制を行うことができ、シート１５１に設ける送り穴１１の位置精度を確実に向上させることができる。
【０２０９】
パイロットピン９３１は、基端側から先端側に向かって縮径する棒状体で構成され、その基端部がバネ材９３３で付勢された状態で、第２基体９３０の穴部、打抜工具９２１の貫通孔および押さえ板９４０の貫通孔に挿通されており、その先端部が押さえ板９４０の下面から突出している。このようなパイロットピン９３１を用いて、その先端部で、支持台９５０上に供給されたシート１５１に形成された送り穴１１を挿通することで、シート１５１の位置規制を行うことができ、シート１５１に設ける送り穴１１の位置精度を確実に向上させることができる。
【０２１０】
位置補正用パイロット９３２は、基端側から先端側に向かって縮径する棒状体で構成され、その基端部がバネ材９３３で付勢された状態で、第２基体９３０の穴部、打抜工具９２１の貫通孔および押さえ板９４０の貫通孔に挿通されており、その先端部が押さえ板９４０の下面から突出している。このような位置補正用パイロット９３２を用いて、その先端部を、支持台９５０上に供給されたシート１５１が備える第２凹部１６に挿入することで、押さえ板９４０でシート１５１の第１面１５を押さえるのに先立って、シート１５１の位置規制を行うことができ、シート１５１に設ける送り穴１１の位置精度を確実に向上させることができる。
【０２１１】
これら位置出し用パイロット９２３、パイロットピン９３１および位置補正用パイロット９３２のうち、パイロットピン９３１は、打抜工具９２１が有する突起物９２２に対してシート１５１の搬送方向（進行方向）の下流側（出口側）に位置しており、本実施形態では、２つのパイロットピン９３１が、シート１５１の短手方向で対向する送り穴１１にそれぞれ挿通されるように２組、すなわち合計４つのパイロットピン９３１が設けられている。
【０２１２】
また、位置補正用パイロット９３２は、打抜工具９２１が有する突起物９２２に対してシート１５１の搬送方向の下流側および上流側の双方の外側に位置しており、本実施形態では、前記上流側において、２つの位置補正用パイロット９３２が、シート１５１の短手方向で対向する第２凹部１６にそれぞれ挿入されるように設けられ、前記下流側において、２つの位置補正用パイロット９３２が、シート１５１の短手方向で対向する第２凹部１６にそれぞれ挿入されるように設けられている。
【０２１３】
さらに、位置出し用パイロット９２３は、パイロットピン９３１および位置補正用パイロット９３２に対してシート１５１の搬送方向の下流側および上流側の双方の外側、すなわち打抜工具９２１が有する突起物９２２に対してシート１５１の搬送方向の下流側および上流側の双方の外側に位置しており、本実施形態では、前記上流側において、２つの位置出し用パイロット９２３が、シート１５１の短手方向で対向する第２凹部１６にそれぞれ挿入されるように設けられ、前記下流側において、２つの位置出し用パイロット９２３が、シート１５１の短手方向で対向する第２凹部１６にそれぞれ挿入されるように設けられている。
【０２１４】
なお、本実施形態では、これら位置出し用パイロット９２３と、パイロットピン９３１と、位置補正用パイロット９３２とにより、作製用シート１５５が有する第１凹部１２と送り穴１１との位置精度を保つための位置補正機構が構成される。
【０２１５】
支持台９５０は、凹部を備える第３基体９５１と、この凹部内に配置される受け板９５２とを有している。
【０２１６】
第３基体９５１は、その全体形状が直方体状をなし、その中央部には上下方向（厚さ方向）に貫通する貫通孔に連通する凹部が設けられている。この凹部内には、受け板９５２が配置されている。
【０２１７】
受け板９５２は、上下方向に貫通する複数の貫通孔を有している。複数の貫通孔は、それぞれ、これらの上側に位置する打抜工具９２１が有する突起物９２２およびパイロットピン９３１に対応する位置に設けられ、シート１５１を打ち抜く際に、これら突起物９２２およびパイロットピン９３１が挿入される。
【０２１８】
なお、本実施形態では、打抜工具９２１の下面から格子状に突出する突起物９２２が縦に２つ、横に６つずつ設けられているものを一例に説明したが、この突起物の数は、この場合に限定されず、作製用シート１５５に設ける複数の送り穴１１の列数等に応じて任意の数に設定される。
【０２１９】
＜キャリアテープ作製用シートの製造方法＞
以上のようなキャリアテープ作製用シート製造装置５００を用いたキャリアテープ作製用シートの製造方法により、前述した第２形態例の作製用シート１５５が製造される。
【０２２０】
図３８は、図３６に示すキャリアテープ作製用シート製造装置が備える各部材とシートとの位置関係を示す平面図、図３９は、図３６に示すキャリアテープ作製用シート製造装置を用いてキャリアテープ作製用シートの製造方法を説明するための平面図、図４０〜４３は、図３６に示すキャリアテープ作製用シート製造装置を用いたキャリアテープ作製用シートの製造方法を説明するための断面図、図４４は、位置出し用パイロットと第２凹部との位置関係を示す断面図、図４５は、位置補正用パイロットと第２凹部との位置関係を示す断面図、図４６は、パイロットピンと送り穴との位置関係を示す断面図、図４７は、図３６に示すキャリアテープ作製用シート製造装置が備える各部材とシートとの位置関係を示す平面図、図４８は、パイロットピンと送り穴との位置関係を示す平面図、図４９は、送り穴と第１凹部との位置関係を示す平面図、図５０は、位置補正用パイロットと第２凹部との位置関係を示す平面図である。なお、以下の説明では、図４０〜４３中の上側を「上」、下側を「下」と言う。さらに、図４０〜４３の断面図は、図３８中におけるＡ−Ａ線断面図を示し、図４０（ｂ）では位置出し用パイロット９２３の先端部付近を拡大して示し、それ以外では、打抜工具９２１が備える突起物９２２の先端部付近を拡大して示す。
【０２２１】
電子部品収納用キャリアテープの製造方法は、本実施形態では、帯状のシート１５１を加熱してシート１５１の少なくとも第１面１５側を溶融または軟化させる加熱工程と、シート１５１の第１面１５に第１凹部１２を成形する成形工程と、シート１５１を冷却する冷却工程と、シート１５１に送り穴１１を加工する打抜工程とを有している。
【０２２２】
以下、各工程について詳述する。
［Ａ］まず、帯状のシート１５１を加熱してシート１５１の少なくとも第１面１５側を溶融または軟化させる（加熱工程）。
【０２２３】
［Ａ−１］まず、図示しないモータの駆動により、ローラ１５６を回転させて、ローラ１５６に巻回されたシート１５１を、タッチロール１１０と冷却ロール１２０との間に連続的に送り出す（供給する）。
【０２２４】
［Ａ−２］次いで、ローラ１５６と冷却ロール１２０との途中で、シート１５１の第１面１５に、ヘッド６００の開口部６０１から、加熱した熱風を吹き付ける。
これにより、シート１５１の少なくとも第１面１５側が溶融または軟化され、その結果、シート１５１は、タッチロール１１０と冷却ロール１２０との間に、少なくとも第１面１５側が溶融または軟化された状態の溶融シート１５０として送り出される。
【０２２５】
［Ｂ］次に、シート１５１の第１面１５に第１凹部１２および第２凹部１６を成形する（成形工程）。
【０２２６】
この成形工程は、タッチロール１１０と冷却ロール１２０との間に、溶融シート１５０を供給することにより行われる。
【０２２７】
この際、冷却ロール１２０の外周面（外周）は、複数の突起物２０１を有するロール状をなす第１金型部２００と、複数の突起物２１１を有するロール状をなす第２金型部２１０とを有する成形金型２２０を備えており、複数の突起物２０１は、冷却ロール１２０の周方向に沿って等間隔に並ぶように配設され、さらに、複数の突起物２１１は、シート１５１の短手方向において複数の突起物２０１に対して平行となるように、冷却ロール１２０の周方向に沿って等間隔に並ぶように配設されている。そのため、溶融シート１５０の第１面１５には、突起物２０１の形状に対応した第１凹部１２がシート１５１の供給方向すなわちシート１５１の長手方向に沿って複数、等間隔で形成され、さらに、シート１５１の短手方向において複数の第１凹部１２に対して平行となるように、突起物２１１の形状に対応した第２凹部１６がシート１５１の長手方向に沿って複数、等間隔で形成される。
【０２２８】
このように、本工程［Ｂ］において、冷却ロール１２０が備える突起物２０１を有する第１金型部２００は、第１凹部１２を成形するために用いられ、突起物２１１を有する第２金型部２１０は、第２凹部１６を成形するために用いられる。
【０２２９】
さらに、タッチロール１１０の外周面が平滑性を有するロール状をなしているため、溶融シート１５０の第２面１３は、平滑性を有する外周面に押し当てられることにより、平坦化される。
【０２３０】
このように、本工程［Ｂ］において、タッチロール１１０は、第２面１３を平坦化するために用いられる。
【０２３１】
［Ｃ］次に、シート１５１を冷却する（冷却工程）。
この冷却工程は、溶融シート１５０を、冷却ロール１２０と後段冷却ロール１３０との間に供給し、その後、後段冷却ロール１３０と後段冷却ロール１４０との間に供給することにより行われる。
【０２３２】
これにより、溶融シート１５０は、冷却ロール１２０に、冷却ロール１２０が１８０°回転するまで溶融シート１５０の第１面１５が当接し、後段冷却ロール１３０に、後段冷却ロール１３０が１８０°回転するまで溶融シート１５０の第２面１３が当接し、後段冷却ロール１４０に、後段冷却ロール１４０が９０°回転するまで溶融シート１５０の第１面１５が当接する。
【０２３３】
ここで、本実施形態では、冷却ロール１２０、後段冷却ロール１３０および後段冷却ロール１４０のいずれもが冷却手段を備えているため、上記のような、溶融シート１５０の各ロール１２０、１３０、１４０との当接（接触）により、第１面１５に第１凹部１２および第２凹部１６が形成された溶融シート１５０が冷却される。その結果、第１面１５に第１凹部１２および第２凹部１６が成形されたシート１５１が得られる。
【０２３４】
なお、本実施形態では、各冷却ロール１２０、１３０、１４０に、溶融シート１５０の第１面１５および第２面１３が交互に当接した状態で、溶融シート１５０が冷却される。そのため、第１面１５または第２面１３側に反りが生じた状態で溶融シート１５０が冷却されてしまうのを確実に防止することができる。
【０２３５】
以上のように、本工程［Ｃ］において、冷却手段を備える各冷却ロール１２０、１３０、１４０は、溶融シート１５０を冷却するために用いられる。
【０２３６】
［Ｄ］次に、第１凹部１２および第２凹部１６が成形されたシート１５１に対して、送り穴１１を加工する（打抜工程）。
【０２３７】
この送り穴１１のシート１５１に対する加工（打抜き）に、キャリアテープ作製用シート製造装置５００が有する打抜金型９００が用いられる。
【０２３８】
その際、打抜金型９００によるシート１５１に対する送り穴１１の１度目の打抜きと、２度目以降の打抜きとでは、打抜金型９００が備える各部の用途が異なる。そのため、以下では、まず、打抜金型９００による１度目の打抜きについて説明し、次いで、２度目の打抜きについて説明する。
【０２３９】
＜＜１度目の打抜き＞＞
まず、打抜金型９００によるシート１５１に対する送り穴１１の１度目の打抜き、すなわち打抜工具９２１を用いてシート１５１をプレスする最初の１ショット目では、打抜金型９００が備える各部は、第１凹部１２および第２凹部１６が成形されたシート１５１の各部に対応して、以下のようにして配置される。
【０２４０】
すなわち、図３８（ａ）に示すように、シート１５１をその上側から視たとき、位置補正用パイロット９３２は、打抜工具９２１が有する突起物９２２のシート１５１の進行方向入口側と出口側とのそれぞれ外側において、第２凹部１６に対応するようにして、その先端部が第２凹部１６内に挿入される。
【０２４１】
また、位置出し用パイロット９２３は、位置補正用パイロット９３２のシート１５１の進行方向入口側と出口側とのそれぞれ外側、すなわち、打抜工具９２１が有する突起物９２２のシート１５１の進行方向入口側と出口側とのそれぞれ外側において、第２凹部１６に対応するようにして、その先端部が第２凹部１６内に挿入される。
【０２４２】
さらに、パイロットピン９３１は、打抜工具９２１が有する突起物９２２のシート１５１の進行方向出口側において、シート１５１の２度目以降の打抜きで送り穴１１が形成される位置に対応するようにして、その先端部がシート１５１に当接される。
【０２４３】
以下、このように各部が配置される打抜金型９００を用いて、送り穴１１を形成する方法について順次説明する。
【０２４４】
［Ｄ−１ａ］まず、図３９（ａ）に示すような第１凹部１２および第２凹部１６が形成されたシート１５１を、シート１５１の進行方向（搬送方向）の入口側（上流側）から出口側（下流側）に向かって搬送することにより、支持台９５０上、すなわち、支持台９５０と打抜ヘッド９１０との間に、シート１５１を搬送（供給）する（図４０（ａ）参照）。
【０２４５】
［Ｄ−２ａ］次いで、打抜ヘッド９１０を、シート１５１の厚さ方向に対して下側に移動、すなわち、位置出し用パイロット９２３を、シート１５１の厚さ方向に対して下側に移動させることにより、位置出し用パイロット９２３の先端部を第２凹部１６内に挿入する（図４０（ｂ）参照）。
これにより、第２凹部１６が位置出し用パイロット９２３で位置規制される。
【０２４６】
ここで、本工程では、位置出し用パイロット９２３の先端部が第２凹部１６に挿入されるが、位置出し用パイロット９２３の先端部の形状と、第２凹部１６の形状とは、例えば、以下のような関係のものが挙げられる。
【０２４７】
すなわち、まず、図４４（Ａ１）に示すように、位置出し用パイロット９２３の先端部の長さをＰ（ｍｍ）とし、先端部の幅をＱ（ｍｍ）としたとき、先端部の幅Ｑが基端から先端に向かって一定となっている形状を先端部がなし、この形状に対応するように、第２凹部１６の深さをＪ（ｍｍ）とし、底部の厚さをＫ（ｍｍ）とし、幅をＬ（ｍｍ）とし、第１凹部および第２凹部以外の部分の厚みをＣ（ｍｍ）としたとき、第２凹部１６の幅Ｌが深さ（厚さ）方向において一定となっている形状を第２凹部１６がなしているものが挙げられる。
【０２４８】
この場合、Ｊ＜Ｐを満たし、０＜Ｌ−Ｑ≦０．０６を満たすことが好ましく、０＜Ｌ−Ｑ≦０．０３を満たすことがより好ましい。
【０２４９】
さらに、Ｖ＝（Ｌ−Ｑ）／２とし、後述するように、第２凹部１６を位置補正用パイロット９３２で位置規制させる最大量をＵ（ｍｍ）とし、位置補正用パイロット９３２の先端部の先端側の幅をＮ（ｍｍ）とし、Ｕ＝（Ｌ−Ｎ）／２としたとき、Ｖ＜Ｕを満たし、（Ｌ−Ｑ）／２＜（Ｌ−Ｎ）／２を満たし、さらに、Ｑ＞Ｎを満たすことが好ましい。
【０２５０】
このような関係を満足することで、図４４（Ａ２）、（Ａ３）に示すように、第２凹部１６内に、その形状に対応した位置出し用パイロット９２３の先端部を、挿入することで、後述するように第２凹部１６内に、その形状に対応した位置補正用パイロット９３２の先端部を、位置ズレさせることなく、より優れた精度で収納させることができる。
【０２５１】
また、図４４（Ｂ１）に示すように、位置出し用パイロット９２３の先端部の長さをＰ（ｍｍ）とし、先端部の幅をＱ（ｍｍ）としたとき、先端部の幅Ｑが基端から先端に向かって短く（小さく）なっている形状を先端部がなし、この形状に対応するように、第２凹部１６の深さをＪ（ｍｍ）とし、底部の厚さをＫ（ｍｍ）とし、幅をＬ（ｍｍ）とし、第１凹部および第２凹部以外の部分の厚みをＣ（ｍｍ）としたとき、第２凹部１６の幅Ｌが深さ（厚さ）方向において底部側に向かって短くなっている形状を第２凹部１６がなしているものが挙げられる。
【０２５２】
この場合、先端部の中心軸と先端部の側面とがなす角度をβ（°）とし、シート１５１の厚さ方向と第２凹部１６の内周面とがなす角度をθ（°）としたとき、β＝θ、１０°≦θ≦３０°を満たし、Ｌ≦Ｑを満たすことが好ましい。
【０２５３】
また、図４４（Ｂ２）に示すように、シート１５１の厚さ方向において、位置出し用パイロット９２３の先端部がシート１５１の第１面１５と一致した際に、先端部の中心軸と、第２凹部１６の先端部との位置ズレの大きさをＶ（ｍｍ）としたとき、Ｖ＝Ｌ／２＋Ｊ×Ｔａｎθ−Ｑ／２＝Ｊ×Ｔａｎθ−（Ｑ−Ｌ）／２で表すことができ、０．０３＜Ｖ＜０．５を満たすことが好ましい。
【０２５４】
さらに、図４４（Ｂ３）に示すように、位置出し用パイロット９２３の先端部を第２凹部１６に対応するように挿入した際に、第２凹部１６内に挿入される先端部の深さ（大きさ）をδ（ｍｍ）としたとき、δ＝Ｊ−（Ｑ−Ｌ）／（２×Ｔａｎθ）で表すことができ、δ≧０．１５を満たすことが好ましい。また、この際に、第２凹部１６の中心軸と、位置出し用パイロット９２３の中心軸との位置ズレの大きさをＶ（ｍｍ）としたとき、Ｖ＝０で表わすことができる。
【０２５５】
このような関係を満足することで、図４４（Ｂ２）、（Ｂ３）に示すように、第２凹部１６内に、その形状に対応した位置出し用パイロット９２３の先端部を、挿入することで、後述するように第２凹部１６内に、その形状に対応した位置補正用パイロット９３２の先端部を、位置ズレさせることなく、より優れた精度で収納させることができる。
【０２５６】
［Ｄ−３ａ］次いで、さらに打抜ヘッド９１０を、シート１５１の厚さ方向に対して下側に移動、すなわち、パイロットピン９３１を、シート１５１の厚さ方向に対して下側に移動させることにより、パイロットピン９３１の先端部をシート１５１の第１面１５に当接させる（図４０（ｃ）参照）。
【０２５７】
この際、パイロットピン９３１は、その基端側部をバネ材９３３で付勢されているため、シート１５１の第１面１５の突き破りを防止する。
【０２５８】
［Ｄ−４ａ］次いで、さらに打抜ヘッド９１０を、シート１５１の厚さ方向に対して下側に移動、すなわち、位置補正用パイロット９３２を、シート１５１の厚さ方向に対して下側に移動させることにより、位置補正用パイロット９３２の先端部を第２凹部１６内に挿入する（図４０（ｄ）参照）。
これにより、第２凹部１６が位置補正用パイロット９３２で位置規制される。
【０２５９】
なお、このような順序で実施する位置出し用パイロット９２３および位置補正用パイロット９３２による位置規制では、第２凹部１６を位置補正用パイロット９３２で位置規制させる最大量、すなわち、シート１５１の厚さ方向において、位置補正用パイロット９３２の先端部がシート１５１の第１面１５と一致した際に、先端部の中心軸と、第２凹部１６の先端部との位置ズレの大きさをＵ（ｍｍ）とし、第２凹部１６の中心軸と位置出し用パイロット９２３の中心軸との位置ズレの最大量をＶ（ｍｍ）としたとき、Ｖ≦Ｕを満たしており、０≦Ｕ−Ｖ≦０．５を満たしているのが好ましい。かかる関係を満足することにより、位置出し用パイロット９２３による位置規制の後に、位置補正用パイロット９３２による位置規制を実施する構成とすることで、後工程［Ｄ−６ａ］において、送り穴１１をより優れた位置精度でシート１５１に形成することができる。
【０２６０】
ここで、本工程では、位置補正用パイロット９３２の先端部が第２凹部１６に挿入されるが、位置補正用パイロット９３２の先端部の形状と、第２凹部１６の形状とは、例えば、以下のような関係のものが挙げられる。
【０２６１】
すなわち、まず、図４５（Ａ１）に示すように、位置補正用パイロット９３２の先端部の長さをＭ（ｍｍ）とし、先端部の先端側の幅をＮ（ｍｍ）としたとき、先端部の幅Ｎが基端から先端に向かって短く（小さく）なっている形状を先端部がなし、これに対して、第２凹部１６の深さをＪ（ｍｍ）とし、底部の厚さをＫ（ｍｍ）とし、幅をＬ（ｍｍ）とし、第１凹部および第２凹部以外の部分の厚みをＣ（ｍｍ）としたとき、第２凹部１６の幅Ｌが深さ（厚さ）方向において一定となっている形状を第２凹部１６がなしているものが挙げられる。
この場合、Ｍ＝Ｊを満たし、Ｎ＜Ｌを満たすことが好ましい。
【０２６２】
また、Ｕ＝（Ｌ−N）／２とし、後述するように、パイロットピン９３１の中心軸と、送り穴１１の中心軸との位置ズレの大きさをＷ（ｍｍ）とし、送り穴１１の内径をＲ（ｍｍ）とし、パイロットピン９３１の基端部側の外径をＳ（ｍｍ）とし、Ｗ＝（Ｒ−Ｓ）／２としたとき、Ｕ＞Ｗを満たし、（Ｌ−Ｎ）／２＞（Ｒ−Ｓ）／２を満たし、さらに、Ｌ−Ｎ＞Ｒ−Ｓを満たすことが好ましい。
【０２６３】
さらに、先端部の基端側の幅は、先端部の中心軸と先端部の側面とがなす角度をα（°）としたとき、Ｎ＋２×Ｍ×Ｔａｎαで表すことができ、Ｌ＋０．０４≦Ｎ＋２×Ｍ×Ｔａｎα≦Ｌ＋０．１を満たすことが好ましい。
【０２６４】
このような関係を満足することで、図４５（Ａ２）、（Ａ３）に示すように、第２凹部１６内に、これに対応する位置補正用パイロット９３２の先端部を、位置ズレさせることなく、より優れた精度で収納させることができる。
【０２６５】
また、図４５（Ｂ１）に示すように、位置補正用パイロット９３２の先端部の長さをＭ（ｍｍ）とし、先端部の幅をＮ（ｍｍ）としたとき、先端部の幅Ｎが基端から先端に向かって短く（小さく）なっている形状を先端部がなし、この形状に対応するように、第２凹部１６の深さをＪ（ｍｍ）とし、底部の厚さをＫ（ｍｍ）とし、幅をＬ（ｍｍ）とし、第１凹部および第２凹部以外の部分の厚みをＣ（ｍｍ）としたとき、第２凹部１６の幅Ｌが深さ（厚さ）方向において底部側に向かって短くなっている形状を第２凹部１６がなしているものが挙げられる。
【０２６６】
この場合、先端部の中心軸と先端部の側面とがなす角度をα（°）とし、シート１５１の厚さ方向と第２凹部１６の内周面とがなす角度をθ（°）としたとき、α＝θ、１０°≦θ≦３０°を満たし、Ｌ≦Ｎを満たすことが好ましい。
【０２６７】
また、図４５（Ｂ２）に示すように、シート１５１の厚さ方向において、位置補正用パイロット９３２の先端部がシート１５１の第１面１５と一致した際に、先端部の中心軸と、第２凹部１６の先端部との位置ズレの大きさ、すなわち、第２凹部１６を位置補正用パイロット９３２で位置規制させる最大量をＵ（ｍｍ）としたとき、Ｕ＝Ｌ／２＋Ｊ×Ｔａｎθ−Ｎ／２＝Ｊ×Ｔａｎθ−（Ｎ−Ｌ）／２で表すことができ、０．０３＜Ｕ＜０．５を満たすことが好ましい。
【０２６８】
さらに、図４５（Ｂ３）に示すように、位置補正用パイロット９３２の先端部を第２凹部１６に対応するように挿入した際に、第２凹部１６内に挿入される先端部の深さ（大きさ）をγ（ｍｍ）としたとき、γ＝Ｊ−（Ｎ−Ｌ）／（２×Ｔａｎθ）で表すことができ、γ≧０．１５を満たすことが好ましい。また、この際に、第２凹部１６の中心軸と、位置補正用パイロット９３２の中心軸との位置ズレの大きさＵＶ（ｍｍ）としたとき、Ｕ＝０で表わすことができる。
【０２６９】
このような関係を満足することで、図４５（Ｂ２）、（Ｂ３）に示すように、第２凹部１６内に、その形状に対応した位置補正用パイロット９３２の先端部を、位置ズレさせることなく、より優れた精度で収納させることができる。
【０２７０】
［Ｄ−５ａ］次いで、さらに打抜ヘッド９１０を、シート１５１の厚さ方向に対して下側に移動、すなわち、位置出し用パイロット９２３および位置補正用パイロット９３２による位置規制を維持した状態で、押さえ板（ストリッパ）９４０を、シート１５１の厚さ方向に対して下側に移動させることにより、押さえ板９４０の下面をシート１５１の第１面１５に当接させる（図４１（ａ）参照）。
【０２７１】
これにより、シート１５１の第１面１５が押さえ板９４０の下面で押さえられ、その結果、シート１５１が押さえ板９４０で位置規制される。
【０２７２】
［Ｄ−６ａ］次いで、さらに打抜ヘッド９１０を、シート１５１の厚さ方向に対して下側に移動、すなわち、位置出し用パイロット９２３、位置補正用パイロット９３２および押さえ板９４０による位置規制を維持した状態で、打抜工具９２１を、シート１５１の厚さ方向に対して下側に、その突起物９２２が、受け板９５２が備える貫通孔内に達するまで移動させる（図４１（ｂ）参照）。
【０２７３】
これにより、シート１５１の突起物９２２が当接した位置に対応する部分が打抜物１７として打ち抜かれ、その結果、図３９（ｂ）に示すように、シート１５１に送り穴１１が形成される。
【０２７４】
このようにして打抜工具９２１でシート１５１を打ち抜く際に、位置出し用パイロット９２３、位置補正用パイロット９３２および押さえ板９４０で、シート１５１が位置規制されているため、シート１５１が位置ズレするのを確実に防止することができる。そのため、第１凹部１２に対して優れた位置精度で送り穴１１を形成することができる。
【０２７５】
［Ｄ−７ａ］次いで、打抜ヘッド９１０を、シート１５１の厚さ方向に対して上側に移動、すなわち、位置出し用パイロット９２３、パイロットピン９３１、位置補正用パイロット９３２および押さえ板９４０を、シート１５１の厚さ方向に対して上側に移動させることにより、これらによるシート１５１の位置規制を解除する（図４１（ｃ）参照）。
【０２７６】
そして、このシート１５１を、シート１５１の進行方向の入口側から出口側に向かって搬送することにより、シート１５１が２度目の送り穴１１の打ち抜きに供される。
以上のような工程により、送り穴１１の１度目の打抜きが実施される。
【０２７７】
＜＜２度目の打抜き＞＞
次に、打抜金型９００によるシート１５１に対する送り穴１１の２度目の打抜き、すなわち打抜工具９２１を用いてシート１５１をプレスする２ショット目では、打抜金型９００が備える各部は、第１凹部１２、第２凹部１６および１ショット目の送り穴１１が形成されたシート１５１の各部に対応して、以下のようにして配置される。
【０２７８】
すなわち、図３８（ｂ）に示すように、シート１５１をその上側から視たとき、位置補正用パイロット９３２は、打抜工具９２１が有する突起物９２２のシート１５１の進行方向入口側と出口側とのそれぞれ外側において、第２凹部１６に対応するようにして、その先端部が第２凹部１６内に挿入される。
【０２７９】
また、パイロットピン９３１は、打抜工具９２１が有する突起物９２２のシート１５１の進行方向出口側において、１度目の打抜きで形成された送り穴１１に対応するようにして、その先端部が送り穴１１に挿通される。
【０２８０】
以下、このように各部が配置される打抜金型９００を用いて、送り穴１１を形成する方法について順次説明する。
【０２８１】
［Ｄ−１ｂ］まず、図３９（ｂ）に示すような、第１凹部１２、第２凹部１６および１度目の打抜きで送り穴１１が形成されたシート１５１を、シート１５１の進行方向の入口側から出口側に向かって搬送することにより、支持台９５０上に、シート１５１を搬送する（図４２（ａ）参照）。
【０２８２】
［Ｄ−２ｂ］次いで、打抜ヘッド９１０を、シート１５１の厚さ方向に対して下側に移動、すなわち、パイロットピン９３１を、シート１５１の厚さ方向に対して下側に移動させることにより、パイロットピン９３１の先端部を１度目の打ち抜きで形成された送り穴１１内に挿通する（図４２（ｂ）参照）。
【０２８３】
これにより、１度目の打ち抜きで形成された送り穴１１がパイロットピン９３１で位置規制される。
【０２８４】
ここで、本工程では、パイロットピン９３１の先端部が送り穴１１に挿通されるが、パイロットピン９３１の先端部の形状としては、例えば、以下のような構成のものが挙げられる。
【０２８５】
すなわち、まず、図４６（Ａ１）に示すように、パイロットピン９３１の基端部側の外径をＳ（ｍｍ）とし、先端側の外径をＴ（ｍｍ）とし、送り穴１１の内径をＲ（ｍｍ）としたとき、パイロットピン９３１が、その基端から先端に向かう途中で縮径し、さらに、その先端部が平坦面で構成される形状をなしているものが挙げられる。
【０２８６】
この場合、図４６（Ａ１）に示すように、シート１５１の厚さ方向において、パイロットピン９３１の先端の平坦面がシート１５１の第１面１５と一致した際には、パイロットピン９３１の中心軸と、送り穴１１の中心軸との位置ズレの大きさ、すなわち、送り穴１１をパイロットピン９３１で位置規制させる最大量をε（ｍｍ）としたとき、ε＝（Ｒ−Ｔ）／２で表すことができ、ε≧０．２を満たすことが好ましい。
【０２８７】
また、図４６（Ａ２）に示すように、シート１５１の厚さ方向において、パイロットピン９３１の先端の縮径する部分がシート１５１の第２面１３から突出するようにパイロットピン９３１をシート１５１に挿通した際には、パイロットピン９３１の中心軸と、送り穴１１の中心軸との位置ズレの大きさをＷ（ｍｍ）としたとき、Ｗ＝（Ｒ−Ｓ）／２で表すことができ、０＜Ｗ≦０．０１５を満たすことが好ましい。
【０２８８】
このように、図４６（Ａ１）、（Ａ２）に示すように、送り穴１１にパイロットピン９３１が挿通されるが、この場合、パイロットピン９３１の中心軸とパイロットピン９３１の先端部（縮径部）の側面とがなす角度をλ（°）としたとき、０＜Ｒ−Ｓ≦０．０３、０≦Ｔ≦Ｓ−０．４を満たし、１０°≦λ≦３０°を満たすことが好ましい。
【０２８９】
このような関係を満足することで、図４６（Ａ１）、（Ａ２）に示すように、送り穴１１内に、これに対応するパイロットピン９３１を、挿通することで、後述するように第２凹部１６内に、その形状に対応した位置補正用パイロット９３２の先端部を、位置ズレさせることなく、より優れた精度で収納させることができる。
【０２９０】
また、図４６（Ｂ１）に示すように、パイロットピン９３１の基端部側の外径をＳ（ｍｍ）とし、送り穴１１の内径をＲ（ｍｍ）としたとき、パイロットピン９３１が、その基端から先端に向かう途中から縮径し、その先端部が針状なす形状で構成されているものが挙げられる。
【０２９１】
この場合、図４６（Ｂ１）に示すように、シート１５１の厚さ方向において、針状をなすパイロットピン９３１の先端がシート１５１の第１面１５と一致した際には、パイロットピン９３１の中心軸と、送り穴１１の中心軸との位置ズレの大きさ、すなわち、送り穴１１をパイロットピン９３１で位置規制させる最大量をε（ｍｍ）としたとき、ε＝Ｒ／２で表すことができる。
【０２９２】
また、図４６（Ｂ２）に示すように、シート１５１の厚さ方向において、パイロットピン９３１の先端の縮径する部分がシート１５１の第２面１３から突出するようにパイロットピン９３１をシート１５１に挿通した際には、パイロットピン９３１の中心軸と、送り穴１１の中心軸との位置ズレの大きさをＷ（ｍｍ）としたとき、Ｗ＝（Ｒ−Ｓ）／２で表すことができ、０＜Ｗ≦０．０１５を満たすことが好ましい。
【０２９３】
このように、図４６（Ｂ１）、（Ｂ２）に示すように、送り穴１１にパイロットピン９３１が挿通されるが、この場合、０＜Ｒ−Ｓ≦０．０３を満たすことが好ましい。
【０２９４】
このような関係を満足することで、図４６（Ｂ１）、（Ｂ２）に示すように、送り穴１１内に、これに対応するパイロットピン９３１を、挿通することで、後述するように第２凹部１６内に、その形状に対応した位置補正用パイロット９３２の先端部を、位置ズレさせることなく、より優れた精度で収納させることができる。
【０２９５】
［Ｄ−３ｂ］次いで、さらに打抜ヘッド９１０を、シート１５１の厚さ方向に対して下側に移動、すなわち、位置補正用パイロット９３２を、シート１５１の厚さ方向に対して下側に移動させることにより、位置補正用パイロット９３２の先端部を第２凹部１６内に挿入する（図４２（ｃ）参照）。
これにより、第２凹部１６が位置補正用パイロット９３２で位置規制される。
【０２９６】
ここで、本工程では、位置補正用パイロット９３２を用いて、第２凹部１６が位置規制されるが、この位置規制を優れた位置精度で実施するには、前記工程［Ｄ−２ｂ］における、パイロットピン９３１を用いた、１度目の打ち抜きで形成された送り穴１１における位置規制とともに、以下に示すように、これらの位置規制が実施されることが求められる。
【０２９７】
まず、図４７に示すように、シート１５１をその上側から視たとき、４つの位置補正用パイロット９３２は、打抜工具９２１が有する突起物９２２のシート１５１の進行方向入口側と出口側とのそれぞれ外側において、４つの第２凹部１６に対応するようにして、その先端部が第２凹部１６内に挿入される。この際、４つの位置補正用パイロット９３２を、それぞれ、ＰＲ１、ＰＲ２、ＰＲ３、ＰＲ４とすると、それぞれの、Ｘ、Ｙ方向における中心座標は、（Ｘｒ１、Ｙｒ１）、（Ｘｒ２、Ｙｒ２）、（Ｘｒ３、Ｙｒ３）、（Ｘｒ４、Ｙｒ４）で表すことができる。
【０２９８】
また、４つのパイロットピン９３１は、打抜工具９２１が有する突起物９２２のシート１５１の進行方向出口側において、１度目の打抜きで形成された４つの送り穴１１に対応するようにして、その先端部が送り穴１１に挿通される。この際、４つのパイロットピン９３１を、それぞれ、ＰＰ１、ＰＰ２、ＰＰ３、ＰＰ４とすると、それぞれの、Ｘ、Ｙ方向における中心座標は、（Ｘｐ１、Ｙｐ１）、（Ｘｐ２、Ｙｐ２）、（Ｘｐ３、Ｙｐ３）、（Ｘｐ４、Ｙｐ４）で表すことができる。
【０２９９】
さらに、２度目の打抜きでは打抜工具９２１が有する格子状に配置された突起物９２２により送り穴１１がこれに対応して格子状（本実施形態では縦に２つ横に６つずつ）に打ち抜かれる。この際、格子状に形成される送り穴１１のうち４角の送り穴１１を、それぞれ、ＰＳ１、ＰＳ２、ＰＳ３、ＰＳ４とすると、それぞれの、Ｘ、Ｙ方向における中心座標は、（Ｘｓ１、Ｙｓ１）、（Ｘｓ２、Ｙｓ２）、（Ｘｓ３、Ｙｓ３）、（Ｘｓ４、Ｙｓ４）で表すことができる。
【０３００】
また、４つの位置出し用パイロット９２３は、打抜工具９２１が有する突起物９２２のシート１５１の進行方向入口側と出口側とのそれぞれ外側において、４つの第２凹部１６に対応するようにして、その先端部が第２凹部１６内に挿入される。この際、４つの位置出し用パイロット９２３を、それぞれ、ＰＱ１、ＰＱ２、ＰＱ３、ＰＱ４とすると、それぞれの、Ｘ、Ｙ方向における中心座標は、（Ｘｑ１、Ｙｑ１）、（Ｘｑ２、Ｙｑ２）、（Ｘｑ３、Ｙｑ３）、（Ｘｑ４、Ｙｑ４）で表すことができる。
【０３０１】
以上のように定義した場合、まず、４つのパイロットピン９３１（ＰＰ１、ＰＰ２、ＰＰ３、ＰＰ４）を、その中心をＰＣ１として通過する円を円９３５とし、中心ＰＣ１の座標を（Ｘｃ１、Ｙｃ１）とすると、円９３５の半径Ｒ１を下記式（３）で、中心ＰＣ１とＰＰ４とを結ぶ線分がＸ方向に対してなす角度ψｐを下記式（４）で表すことができる。
【０３０２】
【数２】
2014061944.tif 000004
【０３０３】
そして、図４８に示すように、中心をパイロットピン９３１の中心軸として、パイロットピン９３１の中心軸と、送り穴１１の中心軸との位置ズレの大きさを半径Ｒ２とする円を円９３６としたとき、Ｒ２＝Ｗ＝（Ｒ−Ｓ）／２で表すことができる。この場合、シート１５１が中心ＰＣ１を中心として回転すると仮定すると、送り穴１１の回転角度ωｐを下記式（５−１）、（５−２）で表すことができる。なお、円９３５と、円９３６との交点を、それぞれ、ＰＰ４１、ＰＰ４２とし、その交点座標を、それぞれ、（Ｘｐ４１、Ｙｐ４１）、（Ｘｐ４２、Ｙｐ４２）としたとき、それらの交点座標は、それぞれ、下記式（６）、（７）で表すことができる。
【０３０４】
【数３】
2014061944.tif 000005
【０３０５】
また、形成すべきキャリアテープ１を図４（ａ）に示すような構成のものとする場合、図４９（ａ）に示すように、点ＰＣ１を中心とした際の第１凹部１２の中心点ＰＫ１を通過する円を円ｐｋ１とし、円ｐｋ１の中心ＰＣ１の座標を（Ｘｃ１、Ｙｃ１）とし、第１凹部１２の中心ＰＫ１の座標を（Ｘｋ１、Ｙｋ１）としたとき、円ｐｋ１の半径Ｒｋ１を下記式（８）で表すことができ、中心ＰＫ１のＸ方向に対する角度ψｋ１を下記式（９）で表すことができる。
【０３０６】
そして、この場合、シート１５１が点ＰＣ１を中心としてωｐ°回転したと仮定すると、第１凹部１２の中心座標は、座標ＰＫ１１（Ｘｋ１１、Ｙｋ１１）または座標ＰＫ１２（Ｘｋ１２、Ｙｋ１２）にまで位置ズレすることとなるが、これらを、それぞれ、下記式（１０）、（１１）で表すことができる。
【０３０７】
そのため、第１凹部１２の位置ズレの大きさ（Ｘｔ１１、Ｙｔ１１、Ｘｔ１２、Ｙｔ１２）を下記式（１２）で表すことができる。
【０３０８】
【数４】
2014061944.tif 000006
【０３０９】
これらの第１凹部１２の位置ズレの大きさ（Ｘｔ１１、Ｙｔ１１、Ｘｔ１２、Ｙｔ１２）は、それぞれ、−０．０５〜０．０５ｍｍを満たすことが好ましく、−０．０３〜０．０３ｍｍがより好ましい。この場合、Ｒ１を大きくし、Ｒ２を小さく、すなわち、４つのパイロットピン９３１の対角線の距離を大きく、パイロットピン９３１の中心軸と、送り穴１１の中心軸との位置ズレの大きさＷを小さくすることで、第１凹部１２の位置ズレの大きさを前記好ましい範囲に設定することができる。
【０３１０】
さらに、形成すべきキャリアテープ１を図４（ａ）に示すような構成のものとする場合、図４９（ｂ）に示すように、点ＰＣ１を中心とした際の第１凹部１２の中心点ＰＫ２を通過する円を円ｐｋ２とし、円ｐｋ２の中心ＰＣ１の座標を（Ｘｃ１、Ｙｃ１）とし、第１凹部１２の中心ＰＫ２の座標を（Ｘｋ２、Ｙｋ２）としたとき、円ｐｋ２の半径Ｒｋ２を下記式（１３）で表すことができ、中心ＰＫ２のＸ方向に対する角度ψｋ２を下記式（１４）で表すことができる。
【０３１１】
そして、この場合、シート１５１が点ＰＣ１を中心としてωｐ°回転したと仮定すると、第１凹部１２の中心座標は、座標ＰＫ２１（Ｘｋ２１、Ｙｋ２１）または座標ＰＫ２２（Ｘｋ２２、Ｙｋ２２）にまで位置ズレすることとなるが、これらを、それぞれ、下記式（１５）、（１６）で表すことができる。
【０３１２】
そのため、第１凹部１２の位置ズレの大きさ（Ｘｔ２１、Ｙｔ２１、Ｘｔ２２、Ｙｔ２２）を下記式（１７）で表すことができる。
【０３１３】
【数５】
2014061944.tif 000007
【０３１４】
これらの第１凹部１２の位置ズレの大きさ（Ｘｔ２１、Ｙｔ２１、Ｘｔ２２、Ｙｔ２２）は、それぞれ、−０．０５〜０．０５ｍｍを満たすことが好ましく、−０．０３〜０．０３ｍｍがより好ましい。この場合、Ｒ１を大きくし、Ｒ２を小さく、すなわち、４つのパイロットピン９３１の対角線の距離を大きく、パイロットピン９３１の中心軸と、送り穴１１の中心軸との位置ズレの大きさＷを小さくすることで、第１凹部１２の位置ズレを前記好ましい範囲に設定することができる。
【０３１５】
また、形成すべきキャリアテープ１を図４（ａ）に示すような構成のものとする場合、図４９（ｃ）に示すように、点ＰＣ１を中心とした際の第１凹部１２の中心点ＰＫ３を通過する円を円ｐｋ３とし、円ｐｋ３の中心ＰＣ１の座標を（Ｘｃ１、Ｙｃ１）とし、第１凹部１２の中心ＰＫ３の座標を（Ｘｋ３、Ｙｋ３）としたとき、円ｐｋ３の半径Ｒｋ３を下記式（１８）で表すことができ、中心ＰＫ３のＸ方向に対する角度ψｋ３を下記式（１９）で表すことができる。
【０３１６】
そして、この場合、シート１５１が点ＰＣ１を中心としてωｐ°回転したと仮定すると、第１凹部１２の中心座標は、座標ＰＫ３１（Ｘｋ３１、Ｙｋ３１）または座標ＰＫ３２（Ｘｋ３２、Ｙｋ３２）にまで位置ズレすることとなるが、これらを、それぞれ、下記式（２０）、（２１）で表すことができる。
【０３１７】
そのため、第１凹部１２の位置ズレの大きさ（Ｘｔ３１、Ｙｔ３１、Ｘｔ３２、Ｙｔ３２）を下記式（２２）で表すことができる。
【０３１８】
【数６】
2014061944.tif 000008
【０３１９】
これらの第１凹部１２の位置ズレの大きさ（Ｘｔ３１、Ｙｔ３１、Ｘｔ３２、Ｙｔ３２）は、それぞれ、−０．０５〜０．０５ｍｍを満たすことが好ましく、−０．０３〜０．０３ｍｍがより好ましい。この場合、Ｒ１を大きくし、Ｒ２を小さく、すなわち、４つのパイロットピン９３１の対角線の距離を大きく、パイロットピン９３１の中心軸と、送り穴１１の中心軸との位置ズレの大きさＷを小さくすることで、第１凹部１２の位置ズレを前記好ましい範囲に設定することができる。
【０３２０】
さらに、形成すべきキャリアテープ１を図４（ａ）に示すような構成のものとする場合、図４９（ｄ）に示すように、点ＰＣ１を中心とした際の第１凹部１２の中心点ＰＫ４を通過する円を円ｐｋ４とし、円ｐｋ４の中心ＰＣ１の座標を（Ｘｃ１、Ｙｃ１）とし、第１凹部１２の中心ＰＫ４の座標を（Ｘｋ４、Ｙｋ４）としたとき、円ｐｋ４の半径Ｒｋ４を下記式（２３）で表すことができ、中心ＰＫ４のＸ方向に対する角度ψｋ４を下記式（２４）で表すことができる。
【０３２１】
そして、この場合、シート１５１が点ＰＣ１を中心としてωｐ°回転したと仮定すると、第１凹部１２の中心座標は、座標ＰＫ４１（Ｘｋ４１、Ｙｋ４１）または座標ＰＫ４２（Ｘｋ４２、Ｙｋ４２）にまで位置ズレすることとなるが、これらを、それぞれ、下記式（２５）、（２６）で表すことができる。
【０３２２】
そのため、第１凹部１２の位置ズレの大きさ（Ｘｔ４１、Ｙｔ４１、Ｘｔ４２、Ｙｔ４２）を下記式（２７）で表すことができる。
【０３２３】
【数７】
2014061944.tif 000009
【０３２４】
これらの第１凹部１２の位置ズレの大きさ（Ｘｔ４１、Ｙｔ４１、Ｘｔ４２、Ｙｔ４２）は、それぞれ、−０．０５〜０．０５ｍｍを満たすことが好ましく、−０．０３〜０．０３ｍｍがより好ましい。この場合、Ｒ１を大きくし、Ｒ２を小さく、すなわち、４つのパイロットピン９３１の対角線の距離を大きく、パイロットピン９３１の中心軸と、送り穴１１の中心軸との位置ズレの大きさＷを小さくすることで、第１凹部１２の位置ズレを前記好ましい範囲に設定することができる。
【０３２５】
さらに、図５０に示すように、点ＰＣ１を中心とした際の位置補正用パイロット９３２（ＰＲ１）の角部、点ＰＲ１１〜１４をそれぞれ通過する円を円ｐｒ１１〜１４とし、円ｐｒ１１〜１４の中心ＰＣ１の座標を（Ｘｃ１、Ｙｃ１）とし、位置補正用パイロット９３２の角部の座標ＰＲ１１、ＰＲ１２、ＰＲ１３、ＰＲ１４をそれぞれ、（Ｘｒ１１、Ｙｒ１１）、（Ｘｒ１２、Ｙｒ１２）、（Ｘｒ１２、Ｙｒ１２）、（Ｘｒ１２、Ｙｒ１２）としたとき、円ｐｒ１１〜１４の半径Ｒｒ１１〜１４をそれぞれ下記式（２８）で表すことができ、角部の座標ＰＲ１１〜１４のＸ方向に対する角度ψｒ１１〜１４をそれぞれ下記式（２９）で表すことができる。
【０３２６】
そして、この場合、シート１５１が点ＰＣ１を中心として回転すると仮定すると、第２凹部１６は、位置補正用パイロット９３２の角部が第２凹部１６の側壁面に当接する角度ωｒ１１〜１４°にまで回転することができるが、その際の円ｐｒ１１〜１４と第２凹部１６の側壁面の交点座標を、それぞれ、座標ＰＲ１１’（Ｘｒ１１’、Ｙｒ１１’）、座標ＰＲ１２’（Ｘｒ１２’、Ｙｒ１２’）、座標ＰＲ１３’（Ｘｒ１３’、Ｙｒ１３’）、座標ＰＲ１４’（Ｘｒ１４’、Ｙｒ１４’）とすると、これらを、それぞれ、下記式（３０）〜（３３）で表すことができる。
【０３２７】
そのため、第２凹部１６の幅（長さ）をＬ（ｍｍ）、位置補正用パイロット９３２の先端部の先端側の幅（長さ）をＮ（ｍｍ）としたとき、第２凹部１６を位置補正用パイロット９３２で位置規制させる最大量をＵ（ｍｍ）を下記式（３４）〜（３７）で表すことができる。
【０３２８】
【数８】
2014061944.tif 000010
【０３２９】
そのため、ωｒ１１〜１４≧ωｐの関係を満足するときには、位置補正用パイロット９３２で第２凹部１６を位置規制することができると言うことができ、ωｒ１１〜１４＜ωｐの関係となるときには、位置補正用パイロット９３２で第２凹部１６を位置規制することができると言うことができない。
【０３３０】
なお、上述したような順序で実施するパイロットピン９３１および位置補正用パイロット９３２による位置規制では、第２凹部１６を位置補正用パイロット９３２で位置規制させる最大量をＵ（ｍｍ）とし、シート１５１の厚さ方向において、パイロットピン９３１の先端の縮径する部分がシート１５１の第２面１３から突出するようにパイロットピン９３１をシート１５１に挿通した際には、パイロットピン９３１の中心軸と、送り穴１１の中心軸との位置ズレの大きさをＷ（ｍｍ）としたとき、Ｗ≦Ｕを満たしており、０．０１５≦Ｕ−Ｗ≦０．５を満たしているのが好ましい。かかる関係を満足することにより、パイロットピン９３１による位置規制の後に、位置補正用パイロット９３２による位置規制を実施する構成とすることで、後工程［Ｄ−５ｂ］において、送り穴１１をより優れた位置精度でシート１５１に形成することができる。
【０３３１】
［Ｄ−４ｂ］次いで、さらに打抜ヘッド９１０を、シート１５１の厚さ方向に対して下側に移動、すなわち、パイロットピン９３１および位置補正用パイロット９３２による位置規制を維持した状態で、押さえ板（ストリッパ）９４０を、シート１５１の厚さ方向に対して下側に移動させることにより、押さえ板９４０の下面をシート１５１の第１面１５に当接させる（図４２（ｄ）参照）。
これにより、シート１５１の第１面１５が押さえ板９４０の下面で押さえられ、その結果、シート１５１が押さえ板９４０で位置規制される。
【０３３２】
［Ｄ−５ｂ］次いで、さらに打抜ヘッド９１０を、シート１５１の厚さ方向に対して下側に移動、すなわち、パイロットピン９３１、位置補正用パイロット９３２および押さえ板９４０による位置規制を維持した状態で、打抜工具９２１を、シート１５１の厚さ方向に対して下側に、その突起物９２２が、受け板９５２が備える貫通孔内に達するまで移動させる（図４３（ａ）参照）。
【０３３３】
これにより、シート１５１の突起物９２２が当接した位置に対応する部分が打抜物１７として打ち抜かれ、その結果、図３９（ｃ）に示すように、シート１５１に送り穴１１が形成される。
【０３３４】
このようにして打抜工具９２１でシート１５１を打ち抜く際に、パイロットピン９３１、位置補正用パイロット９３２および押さえ板９４０で、シート１５１が位置規制されているため、シート１５１が位置ズレするのを確実に防止することができる。そのため、第１凹部１２に対して優れた位置精度で送り穴１１を形成することができる。
【０３３５】
［Ｄ−６ｂ］次いで、さらに打抜ヘッド９１０を、シート１５１の厚さ方向に対して上側に移動、すなわち、パイロットピン９３１、位置補正用パイロット９３２および押さえ板９４０を、シート１５１の厚さ方向に対して上側に移動させることにより、これらによるシート１５１の位置規制を解除する（図４３（ｂ）参照）。
【０３３６】
そして、このシート１５１を、シート１５１の進行方向の入口側から出口側に向かって搬送することにより、シート１５１が３度目の送り穴１１の打ち抜きに供される。
【０３３７】
以上のような工程により、送り穴１１の２度目の打抜きが実施される。そして、この２度目の打抜きを繰り返して実施すること、すなわち、２度目以降の打抜きを順次実施することにより、複数の送り穴１１が形成され、その結果、シート１５１に第１凹部１２、第２凹部１６および送り穴１１を備える作製用シート１５５が製造される。
【０３３８】
［Ｅ］次に、得られた作製用シート１５５を、第１面１５または第２面１３をリール（芯材）側にして巻回する（巻回工程）。
【０３３９】
このように作製用シート１５５をリールに巻回することで、作製用シート１５５の保管時および輸送時における省スペース化に寄与する。
以上のようにして、作製用シート１５５がリールに巻回された状態で製造される。
【０３４０】
なお、本工程［Ｅ］に先立って、得られた作製用シート１５５を、１列に並んだ複数の第１凹部１２と１列に並んだ複数の送り穴１１とが１対で含まれ、かつ、１列に並んだ複数の第２凹部１６が除かれるようにして、作製用シート１５５の長手方向に沿って、所定の幅で作製用シート１５５をスリット（切断）するようにしてもよい（本発明の電子部品収納用キャリアテープの製造方法）。これにより、２つのキャリアテープ１を得ることができ、本工程［Ｅ］において、リールに巻回された状態のキャリアテープ１を２つ製造することができる。
【０３４１】
以上、本発明の電子部品収納用キャリアテープの製造方法およびキャリアテープ作製用シートの製造方法を図示の実施形態に基づいて説明したが、本発明はこれらに限定されるものではない。
【０３４２】
例えば、本発明の電子部品収納用キャリアテープの製造方法およびキャリアテープ作製用シートの製造方法では、必要に応じて、１以上の任意の目的の工程を追加してもよい。
【０３４３】
また、本発明の電子部品収納用キャリアテープの製造方法およびキャリアテープ作製用シートの製造方法に用いられるキャリアテープ作製用シート製造装置の各部の構成は、同様の機能を発揮し得る任意のものと置換することができ、または、任意の構成のものを付加することもできる。
【０３４４】
さらに、前記実施形態では、キャリアテープ作製用シート製造装置において、成形金型が備える第１金型部は、複数の突起物を備えるものとしたが、この突起物の数は、キャリアテープに成形すべき第１凹部の数に応じて適宜設定され、この第１凹部の数によっては、１つであってもよい。すなわち、第１金型部は、１つ以上の突起物を有するものであればよい。
【符号の説明】
【０３４５】
１      キャリアテープ（電子部品収納用キャリアテープ）
１０    シート
１１    送り穴
１２    第１凹部
１３    第２面
１４    縁部
１５    第１面
１６    第２凹部
１７    打抜物
１８    縁部
２０    カバーテープ（トップカバーテープ）
３０    ボトムテープ
４０    電子部品
５０    パンチキャリアテープ
７０    エンボスキャリアテープ
１００  包装体
１１０  タッチロール
１２０  冷却ロール
１３０  後段冷却ロール
１４０  後段冷却ロール
１５０  溶融シート
１５１  シート
１５５  キャリアテープ作製用シート（作製用シート）
１５６  ローラ
１７０  タッチロール
１８０  タッチロール
１９０  テンションロール
２００  第１金型部
２０１  突起物
２１０  第２金型部
２１１  突起物
２２０  成形金型
３００  平坦なシームレスベルト
３１０  金型を形成したシームレスベルト
５００  キャリアテープ作製用シート製造装置
６００  ヘッド
６０１  開口部
７００  シート供給部
８００  成形部
９００  打抜金型
９１０  打抜ヘッド
９２０  第１基体
９２１  打抜工具
９２２  突起物
９２３  位置出し用パイロット
９３０  第２基体
９３１  パイロットピン
９３２  位置補正用パイロット
９３３  バネ材
９３５  円
９３６  円
９４０  押さえ板（ストリッパ）
９５０  支持台
９５１  第３基体
９５２  受け板
【図１】
2014061944.tif 000011
【図２】
2014061944.tif 000012
【図３】
2014061944.tif 000013
【図４】
2014061944.tif 000014
【図５】
2014061944.tif 000015
【図６】
2014061944.tif 000016
【図７】
2014061944.tif 000017
【図８】
2014061944.tif 000018
【図９】
2014061944.tif 000019
【図１０】
2014061944.tif 000020
【図１１】
2014061944.tif 000021
【図１２】
2014061944.tif 000022
【図１３】
2014061944.tif 000023
【図１４】
2014061944.tif 000024
【図１５】
2014061944.tif 000025
【図１６】
2014061944.tif 000026
【図１７】
2014061944.tif 000027
【図１８】
2014061944.tif 000028
【図１９】
2014061944.tif 000029
【図２０】
2014061944.tif 000030
【図２１】
2014061944.tif 000031
【図２２】
2014061944.tif 000032
【図２３】
2014061944.tif 000033
【図２４】
2014061944.tif 000034
【図２５】
2014061944.tif 000035
【図２６】
2014061944.tif 000036
【図２７】
2014061944.tif 000037
【図２８】
2014061944.tif 000038
【図２９】
2014061944.tif 000039
【図３０】
2014061944.tif 000040
【図３１】
2014061944.tif 000041
【図３２】
2014061944.tif 000042
【図３３】
2014061944.tif 000043
【図３４】
2014061944.tif 000044
【図３５】
2014061944.tif 000045
【図３６】
2014061944.tif 000046
【図３７】
2014061944.tif 000047
【図３８】
2014061944.tif 000048
【図３９】
2014061944.tif 000049
【図４０】
2014061944.tif 000050
【図４１】
2014061944.tif 000051
【図４２】
2014061944.tif 000052
【図４３】
2014061944.tif 000053
【図４４】
2014061944.tif 000054
【図４５】
2014061944.tif 000055
【図４６】
2014061944.tif 000056
【図４７】
2014061944.tif 000057
【図４８】
2014061944.tif 000058
【図４９】
2014061944.tif 000059
【図５０】
2014061944.tif 000060